(57)【特許請求の範囲】
【請求項１】
電流量に応じて自発光する発光素子がマトリクス状に配置された表示部を備える表示装置であって：
画像信号と、少なくとも１つのチャネルのブランキング期間に挿入されたコンテンツの種別を規定するコンテンツ識別情報とを有する複数チャネルの差動信号を受信し、前記画像信号と前記コンテンツ識別情報とをそれぞれ出力する受信部と；
前記画像信号の画像情報に応じて、前記発光素子それぞれにおける単位時間当たりの発光量を規定するための基準デューティを設定する発光量規定部と；
前記基準デューティと調整信号とに基づいて単位時間当たりに前記発光素子を発光させる発光時間を規定する実デューティが所定の範囲内となるように調整し、前記実デューティと画像信号のゲインとにより規定される発光量が前記基準デューティにより規定される発光量と同一となるように前記画像信号のゲインを調整する調整部と；
前記コンテンツ識別情報に基づいて前記実デューティの下限値を設定する前記調整信号を生成する調整信号生成部と；
を備えることを特徴とする、表示装置。
【請求項２】
前記調整部は、
前記調整信号に応じて下限値を設定し、前記発光量規定部が設定する前記基準デューティが前記所定の範囲外である場合に、前記基準デューティを設定された前記下限値または予め定められた上限値に調整して前記実デューティとして出力する発光時間調整部と；
前記発光量規定部が設定する前記基準デューティと前記発光時間調整部から出力される前記実デューティとに基づいて、前記画像信号のゲインを調整するゲイン調整部と；
を備えることを特徴とする、請求項１に記載の表示装置。
【請求項３】
前記ゲイン調整部は、前記発光時間調整部が前記下限値に調整された前記実デューティを出力した場合、前記基準デューティに対する前記実デューティの増加比率に応じて前記画像信号のゲインを減衰させることを特徴とする、請求項２に記載の表示装置。
【請求項４】
前記ゲイン調整部は、前記発光時間調整部が前記上限値に調整された前記実デューティを出力した場合、前記基準デューティに対する前記実デューティの減少比率に応じて前記画像信号のゲインを増幅させることを特徴とする、請求項２に記載の表示装置。
【請求項５】
前記ゲイン調整部は、
入力される前記画像信号と前記基準デューティを乗算する第１ゲイン補正部と；
前記第１ゲイン補正部から出力される補正された画像信号から、前記発光時間調整部から出力される前記実デューティを除算する第２ゲイン補正部と；
を備えることを特徴とする、請求項２に記載の表示装置。
【請求項６】
前記調整信号生成部は、前記コンテンツ識別情報が示すコンテンツの情報が所定の回数連続して同一の内容を示す場合に、前記コンテンツ識別情報が示すコンテンツの情報に応じた調整信号を生成することを特徴とする、請求項１に記載の表示装置。
【請求項７】
前記画像信号の所定期間における輝度の平均を算出する平均輝度算出部をさらに備え、
前記発光量規定部は、前記平均輝度算出部において算出された平均輝度に応じて前記基準デューティを設定することを特徴とする、請求項１に記載の表示装置。
【請求項８】
前記発光量規定部は、画像信号の輝度と前記基準デューティとが対応付けられたルックアップテーブルを記憶し、前記平均輝度算出部において算出された平均輝度に応じて、前記基準デューティを一意に設定することを特徴とする、請求項７に記載の表示装置。
【請求項９】
前記平均輝度算出部が輝度の平均を算出するための前記所定期間は、１フレームであることを特徴とする、請求項７に記載の表示装置。
【請求項１０】
前記平均輝度算出部は、
前記画像信号が有する原色信号ごとに、電圧−電流特性に基づく前記原色信号ごとの補正値を乗算する電流比調整部と；
前記電流比調整部から出力された画像信号の所定期間における輝度の平均を算出する平均値算出部と；
を備えることを特徴とする、請求項７に記載の表示装置。
【請求項１１】
前記画像信号をガンマ補正して、線形な画像信号に補正するリニア変換部をさらに備え、
前記発光量規定部に入力される画像信号は、前記補正された画像信号であることを特徴とする、請求項１に記載の表示装置。
【請求項１２】
前記画像信号に対して、前記表示部のガンマ特性に応じたガンマ補正を行うガンマ変換部をさらに備えることを特徴とする、請求項１に記載の表示装置。
【請求項１３】
画像信号と少なくとも１つのチャネルのブランキング期間に挿入されたコンテンツの種別を規定するコンテンツ識別情報とを有する複数チャネルの差動信号を受信し、前記画像信号と前記コンテンツ識別情報とをそれぞれ出力する受信部と、電流量に応じて自発光する発光素子がマトリクス状に配置された表示部を備える表示装置における画像信号処理方法であって：
前記コンテンツ識別情報に基づいて単位時間当たりに前記発光素子を発光させる発光時間を規定する実デューティの下限値を設定する調整信号を生成するステップと；
前記生成するステップにおいて生成された前記調整信号に応じて、前記実デューティの下限値を設定するステップと；
前記画像信号の画像情報に応じて、前記発光素子それぞれにおける単位時間当たりの発光量を規定するための基準デューティを設定するステップと；
前記基準デューティと前記設定するステップにおいて設定された前記下限値とに基づいて前記実デューティが所定の範囲内となるように調整し、前記実デューティと画像信号のゲインとにより規定される発光量が前記基準デューティにより規定される発光量と同一となるように前記画像信号のゲインを調整するステップと；
を有することを特徴とする、画像信号処理方法。
【請求項１４】
画像信号と少なくとも１つのチャネルのブランキング期間に挿入されたコンテンツの種別を規定するコンテンツ識別情報とを有する複数チャネルの差動信号を受信し、前記画像信号と前記コンテンツ識別情報とをそれぞれ出力する受信部と、電流量に応じて自発光する発光素子がマトリクス状に配置された表示部を備える表示装置に用いられるプログラムであって：
前記コンテンツ識別情報に基づいて単位時間当たりに前記発光素子を発光させる発光時間を規定する実デューティの下限値を設定する調整信号を生成するステップ；
前記生成するステップにおいて生成された前記調整信号に応じて、前記実デューティの下限値を設定するステップ；
前記画像信号の画像情報に応じて、前記発光素子それぞれにおける単位時間当たりの発光量を規定するための基準デューティを設定するステップ；
前記基準デューティと前記設定するステップにおいて設定された前記下限値とに基づいて前記実デューティが所定の範囲内となるように調整し、前記実デューティと画像信号のゲインとにより規定される発光量が前記基準デューティにより規定される発光量と同一となるように前記画像信号のゲインを調整するステップ；
をコンピュータに実行させるためのプログラム。
【発明の詳細な説明】
【技術分野】
【０００１】
本発明は、表示装置、画像信号処理方法、およびプログラムに関する。
【背景技術】
【０００２】
近年、ＣＲＴディスプレイ（Cathode  Ray  Tube  display）に替わる表示装置として、有機ＥＬディスプレイ（organic  ElectroLuminescence  display；または、ＯＬＥＤディスプレイ（Organic  Light  Emitting  Diode  display）とも呼ばれる。）、ＦＥＤ（Field  Emission  Display；電界放出ディスプレイ）、ＬＣＤ（Liquid  Crystal  Display；液晶ディスプレイ）、ＰＤＰ（Plasma  Display  Panel；プラズマディスプレイ）、プロジェクターなど様々な表示装置が開発されている。
【０００３】
上記のような様々な表示装置のうち、有機ＥＬディスプレイは、エレクトロルミネッセンス現象（ElectroLuminescence）を利用した自発光型の表示装置であり、例えば、ＬＣＤのような別途光源を必要とする表示装置と比較すると、動画特性、視野角特性、色再現性などが優れていることから、次世代の表示装置として特に注目されている。ここで、エレクトロルミネッセンス現象とは、物質（有機ＥＬ素子）の電子状態が、電界によって基底状態（ground  state）から励起状態（excited  state）へ変化し、不安定な励起状態から安定した基底状態へと戻るときに、差分のエネルギーが光として放出される現象である。
【０００４】
このような中、自発光型の表示装置に係る様々な技術が開発されている。自発光型の表示装置における単位時間当たりの発光時間制御に係る技術としては、例えば、特許文献１が挙げられる。
【０００５】
【特許文献１】特開２００６−３８９６７号公報
【０００６】
また、近年、例えば、ＤＶＤレコーダや、セットトップボックス、あるいは、プレイステーション（登録商標）シリーズ等のゲーム機などの画像再生装置と、画像再生装置が再生した画像を表示する上述したような表示装置とを接続する通信インタフェースとして、ＨＤＭＩ（High-Definition  Multimedia  Interface）が普及しつつある。
【０００７】
ここで、ＨＤＭＩは、非圧縮のデジタル画像信号と、当該画像信号に付随するデジタル音声信号とを高速に伝送する通信インタフェースである。より具体的に示すと、ＨＤＭＩには、画像信号と音声信号とを、高速で、ＨＤＭＩソース（HDMI  Source）からＨＤＭＩシンク（HDMI  Sink）へと一方向に伝送するＴＭＤＳ（Transition  Minimized  Differential  Signaling）チャネル、ＨＤＭＩソースとＨＤＭＩシンクとの間で双方向の通信を行うためのＣＥＣライン（Consumer  Electronics  Control  Line）などが規定されており、１本のケーブルでデジタル画像信号、音声信号、および各種制御用の信号を合わせて送受信することができる。
【発明の開示】
【発明が解決しようとする課題】
【０００８】
単位時間当たりの発光時間制御に係る従来の技術は、外部より入力された画像信号に基づいてフレーム単位で画像信号が示す画像が動画像か静止画像かを示す情報を検出し、検出された当該情報に基づいて画像信号の最大信号許容レベルとデューティ比とを調整する。具体的には、単位時間当たりの発光時間制御に係る従来の技術は、検出した情報が動画像を示す場合には、フレーム当りの発光時間を規定するデューティ比を小さくして最大信号許容レベルを上げる。また、単位時間当たりの発光時間制御に係る従来の技術は、検出した情報が静止画像を示す場合には、フレーム当りの発光時間を規定するデューティ比を大きくして最大信号許容レベルを下げる。
【０００９】
しかしながら、ＨＤＭＩなどの高速な通信インタフェースで送信される画像信号が示す画像が、高精細なＨＤ（High  Definition）解像度の画像である場合には、フレーム単位で画像信号が示す画像が動画像か静止画像かを示す情報を検出するためには膨大な信号処理が必要となる。そのため、画像信号が示す画像が高精細なＨＤ（High  Definition）解像度の画像である場合には、誤検出や処理の遅延が生じる可能性が高い。上記の場合には、表示制御の切り替えのタイミングで表示される画像の明るさやフリッカーの不連続な変化が、違和感としてユーザーに視認されてしまうおそれがある。したがって、単位時間当たりの発光時間制御に係る従来の技術では、高画質化を図ることができない。
【００１０】
本発明は、上記問題に鑑みてなされたものであり、本発明の目的とするところは、入力された画像信号のコンテンツの種類に応じて単位時間当たりに発光素子が発光する発光時間を制御し、さらに画像信号のゲインを併せて制御することにより高画質化が可能な、新規かつ改良された表示装置、画像信号処理方法、およびプログラムを提供することにある。
【課題を解決するための手段】
【００１１】
上記目的を達成するために、本発明の第１の観点によれば、電流量に応じて自発光する発光素子がマトリクス状に配置された表示部を備える表示装置であって、画像信号と、少なくとも１つのチャネルのブランキング期間に挿入されたコンテンツの種別を規定するコンテンツ識別情報とを有する複数チャネルの差動信号を受信し、上記画像信号と上記コンテンツ識別情報とをそれぞれ出力する受信部と、上記画像信号の画像情報に応じて、上記発光素子それぞれにおける単位時間当たりの発光量を規定するための基準デューティを設定する発光量規定部と、上記基準デューティと調整信号とに基づいて単位時間当たりに上記発光素子を発光させる発光時間を規定する実デューティが所定の範囲内となるように調整し、上記実デューティと画像信号のゲインとにより規定される発光量が上記基準デューティにより規定される発光量と同一となるように上記画像信号のゲインを調整する調整部と、上記コンテンツ識別情報に基づいて上記実デューティの下限値を設定する上記調整信号を生成する調整信号生成部とを備える表示装置が提供される。
【００１２】
かかる構成により、入力された画像信号のコンテンツの種類に応じて単位時間当たりに発光素子が発光する発光時間を制御し、さらに画像信号のゲインを併せて制御することにより高画質化を図ることができる。
【００１３】
また、上記調整部は、上記調整信号に応じて下限値を設定し、上記発光量規定部が設定する上記基準デューティが上記所定の範囲外である場合に、上記基準デューティを設定された上記下限値または予め定められた上限値に調整して上記実デューティとして出力する発光時間調整部と、上記発光量規定部が設定する上記基準デューティと上記発光時間調整部から出力される上記実デューティとに基づいて、上記画像信号のゲインを調整するゲイン調整部とを備えてもよい。
【００１４】
かかる構成により、調整信号に応じて実デューティの下限値を設定し、単位時間当たりの発光時間と画像信号のゲインとを併せて制御することにより高画質化を図ることができる。
【００１５】
また、上記ゲイン調整部は、上記発光時間調整部が上記下限値に調整された上記実デューティを出力した場合、上記基準デューティに対する上記実デューティの増加比率に応じて上記画像信号のゲインを減衰させてもよい。
【００１６】
かかる構成により、発光量を同一に保ったまま発光時間および画像信号のゲインそれぞれの調整を行うことができる。
【００１７】
また、上記ゲイン調整部は、上記発光時間調整部が上記上限値に調整された上記実デューティを出力した場合、上記基準デューティに対する上記実デューティの減少比率に応じて上記画像信号のゲインを増幅させてもよい。
【００１８】
かかる構成により、発光量を同一に保ったまま発光時間および画像信号のゲインそれぞれの調整を行うことができる。
【００１９】
また、上記ゲイン調整部は、入力される上記画像信号と上記基準デューティを乗算する第１ゲイン補正部と、上記第１ゲイン補正部から出力される補正された画像信号から、上記発光時間調整部から出力される上記実デューティを除算する第２ゲイン補正部とを備えてもよい。
【００２０】
かかる構成により、発光量を同一に保ったまま発光時間および画像信号のゲインそれぞれの調整を行うことができる。
【００２１】
また、上記調整信号生成部は、上記コンテンツ識別情報が示すコンテンツの情報が所定の回数連続して同一の内容を示す場合に、上記コンテンツ識別情報が示すコンテンツの情報に応じた調整信号を生成してもよい。
【００２２】
かかる構成により、例えば１秒間などの短期間に複数回調整信号／制御信号が生成されることによる画質の低下を防止することができる。
【００２３】
また、上記画像信号の所定期間における輝度の平均を算出する平均輝度算出部をさらに備え、上記発光量規定部は、上記平均輝度算出部において算出された平均輝度に応じて上記基準デューティを設定してもよい。
【００２４】
かかる構成により、単位時間当たりの発光時間を制御して発光素子に過電流が流れることを防止することができる。
【００２５】
また、上記発光量規定部は、画像信号の輝度と上記基準デューティとが対応付けられたルックアップテーブルを記憶し、上記平均輝度算出部において算出された平均輝度に応じて、上記基準デューティを一意に設定してもよい。
【００２６】
かかる構成により、単位時間当たりの発光量を規定することが可能となる。
【００２７】
また、上記平均輝度算出部が輝度の平均を算出するための上記所定期間は、１フレームであってもよい。
【００２８】
かかる構成により、各フレーム期間における発光時間をより細かく制御することができる。
【００２９】
また、上記平均輝度算出部は、上記画像信号が有する原色信号ごとに、電圧−電流特性に基づく上記原色信号ごとの補正値を乗算する電流比調整部と、上記電流比調整部から出力された画像信号の所定期間における輝度の平均を算出する平均値算出部とを備えてもよい。
【００３０】
かかる構成により、入力される画像信号に忠実な画像を表示することができる。
【００３１】
また、上記画像信号をガンマ補正して、線形な画像信号に補正するリニア変換部をさらに備え、上記発光量規定部に入力される画像信号は、上記補正された画像信号であってもよい。
【００３２】
かかる構成により、単位時間当たりの発光時間を制御して発光素子に過電流が流れることを防止することができる。
【００３３】
また、上記画像信号に対して、上記表示部のガンマ特性に応じたガンマ補正を行うガンマ変換部をさらに備えてもよい。
【００３４】
かかる構成により、入力される画像信号に忠実な画像を表示することができる。
【００３５】
また、上記目的を達成するために、本発明の第２の観点によれば、画像信号と少なくとも１つのチャネルのブランキング期間に挿入されたコンテンツの種別を規定するコンテンツ識別情報とを有する複数チャネルの差動信号を受信し、上記画像信号と上記コンテンツ識別情報とをそれぞれ出力する受信部と、電流量に応じて自発光する発光素子がマトリクス状に配置された表示部を備える表示装置における画像信号処理方法であって、上記コンテンツ識別情報に基づいて単位時間当たりに上記発光素子を発光させる発光時間を規定する実デューティの下限値を設定する調整信号を生成するステップと、上記生成するステップにおいて生成された上記調整信号に応じて、上記実デューティの下限値を設定するステップと、上記画像信号の画像情報に応じて、上記発光素子それぞれにおける単位時間当たりの発光量を規定するための基準デューティを設定するステップと、上記基準デューティと上記設定するステップにおいて設定された上記下限値とに基づいて上記実デューティが所定の範囲内となるように調整し、上記実デューティと画像信号のゲインとにより規定される発光量が上記基準デューティにより規定される発光量と同一となるように上記画像信号のゲインを調整するステップとを有する画像信号処理方法が提供される。
【００３６】
かかる方法を用いることにより、入力された画像信号のコンテンツの種類に応じて単位時間当たりに発光素子が発光する発光時間を制御し、さらに画像信号のゲインを併せて制御することにより高画質化を図ることができる。
【００３７】
また、上記目的を達成するために、本発明の第３の観点によれば、画像信号と少なくとも１つのチャネルのブランキング期間に挿入されたコンテンツの種別を規定するコンテンツ識別情報とを有する複数チャネルの差動信号を受信し、上記画像信号と上記コンテンツ識別情報とをそれぞれ出力する受信部と、電流量に応じて自発光する発光素子がマトリクス状に配置された表示部を備える表示装置に用いられるプログラムであって、上記コンテンツ識別情報に基づいて単位時間当たりに上記発光素子を発光させる発光時間を規定する実デューティの下限値を設定する調整信号を生成するステップ、上記生成するステップにおいて生成された上記調整信号に応じて、上記実デューティの下限値を設定するステップ、上記画像信号の画像情報に応じて、上記発光素子それぞれにおける単位時間当たりの発光量を規定するための基準デューティを設定するステップ、上記基準デューティと上記設定するステップにおいて設定された上記下限値とに基づいて上記実デューティが所定の範囲内となるように調整し、上記実デューティと画像信号のゲインとにより規定される発光量が上記基準デューティにより規定される発光量と同一となるように上記画像信号のゲインを調整するステップをコンピュータに実行させるためのプログラムが提供される。
【００３８】
かかるプログラムによって、入力された画像信号のコンテンツの種類に応じて単位時間当たりに発光素子が発光する発光時間を制御し、さらに画像信号のゲインを併せて制御することにより高画質化を図ることができる。
【発明の効果】
【００３９】
本発明によれば、入力された画像信号のコンテンツの種類に応じて単位時間当たりに発光素子が発光する発光時間を制御し、さらに画像信号のゲインを併せて制御することにより高画質化を図ることができる。
【発明を実施するための最良の形態】
【００４０】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００４１】
（本発明の実施形態に係る画像表示システムの構成例）
まず、本発明の実施形態に係る画像表示システムの構成の一例について説明する。図１は、本発明の実施形態に係る画像表示システムの構成の一例を示す説明図である。図１を参照すると、本発明の実施形態に係る画像表示システムは、画像データを再生し再生した画像を示す画像信号を出力する画像再生装置２００、３００、…と、画像再生装置から出力される画像信号に基づいて画像を表示する表示装置１００とを備える。また、画像再生装置２００、３００、…と、表示装置１００とは、通信インタフェース５０、６０、…で接続される。
【００４２】
なお、以下では、表示装置１００として自発光型の表示装置である有機ＥＬディスプレイを例に挙げて説明する。また、以下では、通信インタフェース５０、６０、…として、ＨＤＭＩを例に挙げて説明するが、本発明の実施形態に係る画像表示システムにおける通信インタフェースがＨＤＭＩに限られず、例えば、Ｄ端子を用いた通信インタフェースであってもよい。
【００４３】
以下、画像再生装置２００、３００、…と、表示装置１００との構成の概要を示す。図２は、本発明の実施形態に係る画像再生装置と表示装置との構成の概要を示すブロック図である。なお、図２では、画像再生装置２００を例に挙げて説明するが、画像再生装置３００、…も同様の構成をとることができる。
【００４４】
[画像再生装置２００]
図２を参照すると、画像再生装置２００は、記憶部２０２と、再生部２０４と、ＨＤＭＩソース２０６とを備える。
【００４５】
また、画像再生装置２００は、ＭＰＵ（Micro  Processing  Unit）などで構成され、制御用プログラムなどを用いて様々な演算処理を行い画像再生装置２００全体を制御する制御部（図示せず）、制御部（図示せず）が使用するプログラムや演算パラメータなどの制御用データが記録されたＲＯＭ（Read  Only  Memory；図示せず）、制御部（図示せず）により実行されるプログラムなどを一次記憶するＲＡＭ（Random  Access  Memory；図示せず）、ユーザが操作可能な操作部（図示せず）などを備えてもよい。画像再生装置２００は、例えば、データの伝送路としてのバス（bus）で各構成要素間を接続する。
【００４６】
ここで、操作部（図示せず）としては、例えば、キーボードやマウスなどの操作入力デバイスや、ボタン、方向キー、ジョグダイヤルなどの回転型セレクター、あるいは、これらの組み合わせなどが挙げられるが、上記に限られない。
【００４７】
記憶部２０２は、画像再生装置２００が備える記憶手段であり、例えば、画像データや、アプリケーション、アプリケーションデータなどの様々なファイルを記憶する。ここで、画像データとしては、例えば、ＪＰＥＧ（Joint  Photographic  Experts  Group）やビットマップ（bitmap）などの静止画フォーマットで記録されたデータ（静止画像を示す）や、ＷＭＶ（Windows  Media  Video）やＨ．２６４／ＭＰＥＧ−４  ＡＶＣ（H.264/Moving  Picture  Experts  Group  phase-4  Advanced  Video  Coding）などの動画フォーマットで記録されたデータ（動画像を示す）が挙げられるが上記に限られない。
【００４８】
また、記憶部２０２としては、例えば、ハードディスク（Hard  Disk）などの磁気記録媒体や、ＥＥＰＲＯＭ（Electronically  Erasable  and  Programmable  Read  Only  Memory）、フラッシュメモリ（flash  memory）、ＭＲＡＭ（Magnetoresistive  Random  Access  Memory）、ＦｅＲＡＭ（Ferroelectric  Random  Access  Memory）、ＰＲＡＭ(Phase  change  Random  Access  Memory)などの不揮発性メモリ（nonvolatile  memory）が挙げられるが、上記に限られない。
【００４９】
なお、図２では、画像再生装置２００が記憶部２０２を備える構成を示しているが、本発明の実施形態に係る画像再生装置は、記憶部を備える構成に限られない。例えば、本発明の実施形態に係る画像再生装置は、外部記録媒体としての光ディスクから静止画フォーマットや動画フォーマットで記録された画像データを読み出す光ディスクドライブや、外部記録媒体としての外部メモリを収納するスロットを備え、光ディスクや外部メモリから画像データを読み出すこともできる。ここで、光ディスクとしては、例えば、ＤＶＤディスク、Ｂｌｕ−Ｒａｙディスク、ＨＤ  ＤＶＤディスクなどが挙げられるが、上記に限られない。また、外部メモリとしては、例えば、メモリスティック（Memory  Stick）やＳＤメモリーカード（SD  Memory  Card）などが挙げられるが、上記に限られない。なお、本発明の実施形態に係る画像再生装置が、記憶部、および／または、光ディスクドライブ、および／またはスロットを備えることができることは、言うまでもない。
【００５０】
再生部２０４は、記憶部２０２や外部記録媒体から読み出された画像データおよび画像データに付随する音声データを例えば、ＭＰＥＧ（Moving  Picture  Experts  Group）方式などでデコードする。そして、再生部２０４は、ベースバンドの画像信号（画像データが示す画像に応じた画像信号）および音声信号（音声データが示す音声に応じた音声信号）をＨＤＭＩソース２０６を介して例えば、表示装置１００などの外部装置へ送信させる。
【００５１】
ＨＤＭＩソース２０６は、ＨＤＭＩに準拠した通信により、再生部２０４から伝達されるベースバンドの画像信号と音声信号とを複数チャネルの差動信号で表示装置１００へ一方向に送信する。すなわち、ＨＤＭＩソース２０６は、送信部として機能する。
【００５２】
また、ＨＤＭＩソース２０６は、送信する画像信号のブランキング期間に、送信する画像信号が示す画像のコンテンツ種別、すなわち、当該画像信号が示す画像がいかなるコンテンツに係るものであるかを識別するためのコンテンツ識別情報を挿入する。すなわち、ＨＤＭＩソース２０６は、識別情報挿入部として機能する。ここで、ＨＤＭＩソース２０６は、複数チャネルのうちの少なくとも１つのチャネルを用いてコンテンツ識別情報を送信することができる。また、ＨＤＭＩソース２０６は、コンテンツ識別情報に限られず、様々な制御用のデータを複数のチャネルのうちのいずれかのチャネルを用いて送信することもできる。なお、ＨＤＭＩソース２０６およびコンテンツ識別情報の詳細については後述する。
【００５３】
画像再生装置２００は、図２に示す構成によって、画像データを再生し再生した画像を示す画像信号などを複数チャネルの差動信号で出力することができる。
【００５４】
［表示装置１００］
表示装置１００は、ＨＤＭＩシンク１０２と、制御部１０４と、信号処理部１０６と、パネル１０８とを備える。
【００５５】
また、表示装置１００は、制御部１０４が使用するプログラムや演算パラメータなどの制御用データが記録されたＲＯＭ（図示せず）、制御部１０４により実行されるプログラムなどを一次記憶するＲＡＭ（図示せず）、ユーザが操作可能な操作部（図示せず）、後述する記録部１３０、記憶部１３２、過電流検出部１３４、データドライバ１３６、ガンマ回路１３８などを備えてもよい。表示装置１００は、例えば、データの伝送路としてのバスで各構成要素間を接続する。
【００５６】
ここで、操作部（図示せず）としては、例えば、キーボードやマウスなどの操作入力デバイスや、ボタン、方向キー、ジョグダイヤルなどの回転型セレクター、あるいは、これらの組み合わせなどが挙げられるが、上記に限られない。
【００５７】
ＨＤＭＩシンク１０２は、ＨＤＭＩに準拠した通信により、画像再生装置２００のＨＤＭＩソース２０６から一方向に送信されてくる複数チャネルの差動信号を受信し、画像信号や音声信号、コンテンツ識別情報などの各種制御用データを出力する。すなわち、ＨＤＭＩシンク１０２は、受信部として機能する。なお、図２では、ＨＤＭＩシンクから画像信号と制御用データが出力されている例を示している。ここで、ＨＤＭＩシンク１０２が受信した音声信号は、例えば、音声信号処理回路（図示せず）などに出力され、ゲインの調整などの所定の信号処理が行われた後、スピーカーなどの音声再生部（図示せず）から音声が出力される。
【００５８】
制御部１０４は、例えば、ＭＰＵなどで構成され、表示装置１００全体を制御することができる。
【００５９】
また、制御部１０４は、ＨＤＭＩシンク１０２から伝達される制御用データを処理し、当該制御用データに基づいて信号処理部１０６における各種処理を制御する調整信号（後述する）や制御信号（後述する）を信号処理部１０６へ送信する。ここで、制御部１０４は、例えば、コンテンツ識別情報に基づいて、制御信号（後述する）や調整信号（後述する）を生成する。したがって、制御部１０４は、調整信号生成部、制御信号生成部として機能する。
【００６０】
また、制御部１０４は、信号処理部１０６から送信される信号に対して信号処理を行い、処理結果を信号処理部１０６へ渡すこともできる。
【００６１】
信号処理部１０６は、ＨＤＭＩシンク１０２から伝達される画像信号に対して所定の処理を行い、処理後の画像信号をパネル１０８に伝達する。なお、信号処理部１０６の詳細については後述する。
【００６２】
パネル１０８は、表示装置１００が備える表示部である。パネル１０８は、マトリクス状（行列状）に配置された複数の画素（pixel）を備える。また、パネル１０８は、各画素に対応する画像信号に応じた電圧信号が印加されるデータ線と、選択信号が印加される走査線とを備える。例えば、ＳＤ（Standard  Definition）解像度の映像を表示するパネル１０８は、少なくとも６４０×４８０＝３０７２００（データ線×走査線）の画素を有し、カラー表示のために当該画素が赤（Red;以下「Ｒ」という。）、緑（Green;以下、「Ｇ」という。）、青（Blue;以下、「Ｂ」という。）のサブピクセル（sub  pixel）からなる場合には、６４０×４８０×３＝９２１６００（データ線×走査線×サブピクセルの数）のサブピクセルを有する。同様に、ＨＤ解像度の映像を表示するパネル１０８は、１９２０×１０８０の画素を有し、カラー表示の場合には、１９２０×１０８０×３のサブピクセルを有する。
【００６３】
[サブピクセル（発光素子）の適用例：有機ＥＬ素子]
各画素のサブピクセルを構成する発光素子が有機ＥＬ素子である場合には、ＩＬ特性（電流−発光量特性）が線形となる。ここで、表示装置１００は、ガンマ変換部１６２（後述する）を備え、ガンマ補正を行うことにより画像信号が示す被写体の光量と発光素子に印加する電流量との関係を線形とすることができる。したがって、表示装置１００は、画像信号が示す被写体の光量と、発光量との関係を線形とすることができるので、画像信号に忠実な動画像や静止画像を表示することができる。
【００６４】
また、パネル１０８は、画素ごとに印加する電流量を制御するための画素回路（図示せず）を備える。画素回路は、例えば、印加される走査信号および電圧信号により電流量を制御するためのスイッチ素子およびドライブ素子と、電圧信号を保持するためのキャパシタで構成される。上記スイッチ素子および上記ドライブ素子は、例えば、薄膜トランジスタ（Thin  Film  Transistor）で構成される。ここで、画素回路が備えるトランジスタは、ＶＩ特性が個々に異なるため、パネル１０８全体としてのＶＩ特性は、表示装置１００と同一の構成を有する他の表示装置が備えるパネルのＶＩ特性と異なる。したがって、表示装置１００は、ガンマ変換部１６２（後述する）において、パネル１０８のＶＩ特性を打ち消すような、パネル１０８に対応したガンマ補正を行うことによって、画像信号が示す被写体の光量と、発光素子に印加する電流量との関係を線形とする。
【００６５】
本発明の実施形態に係る表示装置１００は、図２に示すような構成をとることにより、画像再生装置２００から送信される複数チャネルの差動信号を受信し、当該差動信号に含まれる画像信号に応じた動画像や静止画像を表示することができる。なお、表示装置１００の信号処理部１０６の構成については、後述する。
【００６６】
本発明の実施形態に係る画像表示システムは、図２に示すような構成により、画像再生装置２００から送信される複数チャネルの差動信号に含まれる画像信号に応じた動画像や静止画像を表示装置１００において表示することができる。
【００６７】
（本発明の実施形態に係る通信インタフェースの例）
次に、本発明の実施形態に係る通信インタフェースについて、より詳細に説明する。
【００６８】
［通信インタフェースの概要］
まず、本発明の実施形態に係る通信インタフェースの概要を示す。図３は、本発明の実施形態に係る通信インタフェースの一例を示す説明図であり、図２示すＨＤＭＩソース２０６と、ＨＤＭＩシンク１０２との構成例をより具体的に示したものである。
【００６９】
〔ＨＤＭＩソース２０６〕
ＨＤＭＩソース２０６は、ある垂直同期信号から次の垂直同期信号までの期間（以下、「ビデオフィールド」という。）から、水平ブランキング期間および垂直ブランキング期間を除いた期間である有効画像期間（以下、「アクティブビデオ期間」という。）において、一画面分に相当するベースバンドの画像信号に対応する差動信号を、複数のチャネルで、ＨＤＭＩシンク１０２に一方向に送信する。
【００７０】
また、ＨＤＭＩソース２０６は、水平ブランキング期間および垂直ブランキング期間において、ベースバンドの画像信号に付随する音声信号および制御パケット（Control  Packet）などの補助データ（auxiliary  data）に対応する差動信号を、複数のチャネルでＨＤＭＩシンク１０２に一方向に送信する。
【００７１】
ＨＤＭＩソース２０６は、ソース信号処理部２１０とＨＤＭＩトランスミッタ２１２を備える。ソース信号処理部２１０には、再生部２０４からベースバンドの画像信号および音声信号が伝達され、所定の処理を行った後ＨＤＭＩトランスミッタ２１２に画像信号（Video）および音声信号（Audio）を伝達する。また、ソース信号処理部２１０は、ＨＤＭＩトランスミッタ２１２との間で、必要に応じて制御用の情報やステータスを知らせる情報（Control/Status）などをやりとりすることができる。
【００７２】
ＨＤＭＩトランスミッタ２１２は、ソース信号処理部２１０から伝達されるベースバンドの画像信号を対応する差動信号に変換し、３つのＴＭＤＳチャネル０〜２（複数のチャネルの一例）を用い、ケーブルを介して接続されるＨＤＭＩシンク１０２に当該差動信号を一方向に送信する。
【００７３】
また、ＨＤＭＩトランスミッタ２１２は、ソース信号処理部２１０から伝達されるベースバンドの音声信号や制御パケットなどの補助データと、垂直同期信号（VSYNC）、水平同期信号（HSYNC）、コンテンツ識別情報などの制御用データとを対応する差動信号に変換し、ＴＭＤＳチャネル０〜２を用いてＨＤＭＩシンク１０２に当該差動信号を一方向に送信する。なお、図３では、３つのＴＭＤＳチャネル０〜２を示しているが、本発明の実施形態に係るＴＭＤＳチャネル数は３に限られない。
【００７４】
さらに、ＨＤＭＩトランスミッタ２１２は、ＴＭＤＳチャネル０〜２を用いて送信する画像信号に同期したＴＭＤＳクロックチャネルでＨＤＭＩシンク１０２に送信する。
【００７５】
〔ＨＤＭＩシンク１０２〕
ＨＤＭＩシンク１０２は、アクティブビデオ期間において、複数のチャネルによりＨＤＭＩソース２０６から送信されるベースバンドの画像信号に対応する差動信号を受信する。また、ＨＤＭＩシンク１０２は、水平ブランキング期間および垂直ブランキング期間において、複数のチャネルによりＨＤＭＩソース２０６から送信される音声信号や、制御用データに対応する差動信号を受信する。
【００７６】
ＨＤＭＩシンク１０２は、ＨＤＭＩレシーバ１１０と、シンク信号処理部１１２とを備える。ＨＤＭＩレシーバ１１０は、ＨＤＭＩソース２０６からＴＭＤＳクロックチャネルで送信されるピクセルクロックに同期して、ＨＤＭＩソース２０６からＴＭＤＳチャネル０〜２を用いて送信される画像信号に対応する差動信号と、音声信号に対応する差動信号と、制御用データに対応する差動信号とを受信する。
【００７７】
また、ＨＤＭＩレシーバ１１０は、受信した差動信号をそれぞれ対応する画像信号や音声信号、制御用データに変換し、適宜シンク信号処理部１１２へ伝達する。
【００７８】
シンク信号処理部１１２は、ＨＤＭＩレシーバ１１０から伝達される各種信号に対して所定の処理を行う。そして、シンク信号処理部１１２は、制御用データを制御部１０４に、画像信号を信号処理部１０６に、そして、音声信号を例えば音声信号処理回路（図示せず）に伝達する。また、シンク信号処理部１１２は、ＨＤＭＩレシーバ１１０との間で、必要に応じて制御用の情報やステータスを知らせる情報（Control/Status）などをやりとりすることができる。
【００７９】
上述したように、本発明の実施形態に係る通信インタフェースは、複数のＴＭＤＳチャネルとＴＭＤＳクロックチャネルを用いて、画像信号や音声信号、制御用データなどをＨＤＭＩソース２０６からＨＤＭＩシンク１０２へと送信することができる。
【００８０】
〔その他の伝送チャネル〕
また、本発明の実施形態に係る通信インタフェース（ＨＤＭＩ）の伝送チャネルは、上述したＴＭＤＳチャネル０〜２や、ＴＭＤＳクロックチャネルに加え、さらに、ＤＤＣ（Display  Data  Channel）やＣＥＣラインと呼ばれる伝送チャネルを有することができる。
【００８１】
ＤＤＣは、ＨＤＭＩソース２０６が、ケーブルを介して接続されたＨＤＭＩシンク１０２から、Ｅ−ＥＤＩＤ（Enhanced  Extended  Display  Identification）を読み出すために使用される。ここで、Ｅ−ＥＤＩＤとは、自己の性能（Configuration/capability）に関する性能情報であり、例えば、Ｅ−ＥＤＩＤは、ＨＤＭＩシンク１０２が備えるＲＯＭ（図示せず）に記憶される。
【００８２】
ＨＤＭＩソース２０６がＨＤＭＩシンク１０２からＤＤＣを用いてＥ−ＥＤＩＤを読み出すことにより、ＨＤＭＩソース２０６は、Ｅ−ＥＤＩＤに基づいて、例えば、ＲＧＢ、ＹＣｂＣｒ４：４：４、ＹＣｂＣｒ４：２：２などＨＤＭＩシンク１０２が対応する画像のフォーマット（プロファイル）、すなわち、表示装置１００が対応する画像のフォーマット（プロファイル）を認識することができる。
【００８３】
なお、ＨＤＭＩソース２０６は、ＨＤＭＩシンク１０２と同様に、ＨＤＭＩソース２０６の性能を示すＥ−ＥＤＩＤを記憶し、当該Ｅ−ＥＤＩＤを適宜ＨＤＭＩシンク１０２へ送信することができる。
【００８４】
ＣＥＣラインは、ＨＤＭＩソース２０６とＨＤＭＩシンク１０２との間で、例えば、制御用のデータなどの双方向通信に用いられる。
【００８５】
［通信インタフェースの詳細］
次に、本発明の実施形態に係る通信インタフェースをより詳細に説明する。
【００８６】
〔ＨＤＭＩトランスミッタ２１２とＨＤＭＩレシーバ１１０の構成例〕
図４は、本発明の実施形態に係るＨＤＭＩトランスミッタ２１２とＨＤＭＩレシーバ１１０の構成例を示す説明図である。
【００８７】
〔Ａ〕ＨＤＭＩトランスミッタ２１２
ＨＤＭＩトランスミッタ２１２は、ＴＭＤＳチャネル０〜２それぞれに対応するエンコーダ／シリアライザ２１２Ａ、２１２Ｂ、２１２Ｃを備える。エンコーダ／シリアライザ２１２Ａ、２１２Ｂ、２１２Ｃは、伝達される画像信号や、補助データ、制御用データなどをエンコードし、パラレルデータからシリアルデータに変換して差動信号により送信する。
【００８８】
ここで、画像信号が、例えば、ＲＧＢの３成分を有する場合には、Ｂ成分はエンコーダ／シリアライザ２１２Ａに伝達され、Ｇ成分はエンコーダ／シリアライザ２１２Ｂに伝達され、そしてＲ成分はエンコーダ／シリアライザ２１２Ｃに伝達される。
【００８９】
また、補助データとしては、例えば、音声信号や制御パケットが挙げられる。ここで、制御パケットは、例えば、エンコーダ／シリアライザ２１２Ａに伝達され、音声信号は、エンコーダ／シリアライザ２１２Ｂ、２１２Ｃに伝達される。
【００９０】
また、制御用データとしては、例えば、１ビット（bit）の垂直同期信号（VSYNC）、１ビットの水平同期信号（HSYNC）、および、それぞれ１ビットの制御ビットＣＴＬ０、ＣＴＬ１、ＣＴＬ２、ＣＴＬ３が挙げられる。
【００９１】
また、垂直同期信号および水平同期信号は、例えば、エンコーダ／シリアライザ２１２Ｂに伝達される。また制御ビットＣＴＬ０、ＣＴＬ１は、例えば、エンコーダ／シリアライザ２１２Ｂに伝達され、制御ビットＣＴＬ２、ＣＴＬ３は、エンコーダ／シリアライザ２１２Ｃに伝達される。
【００９２】
〔Ａ−１〕エンコーダ／シリアライザ２１２Ａ
エンコーダ／シリアライザ２１２Ａは、伝達される各種信号を時分割で送信する。例えば、画像信号のＢ成分が伝達された場合には、所定のビット数である８ビット単位のパラレルデータに分割してエンコードし、シリアルデータに変換してＴＭＤＳチャネル０を用いてＨＤＭＩレシーバ１１０に送信する。
【００９３】
また、エンコーダ／シリアライザ２１２Ａは、例えば、垂直同期信号および水平同期信号が伝達された場合には、２ビットのパラレルデータにエンコードし、シリアルデータに変換してＴＭＤＳチャネル０を用いてＨＤＭＩレシーバ１１０に送信する。
【００９４】
さらに、エンコーダ／シリアライザ２１２Ａは、例えば、補助データが伝達された場合には、補助データを４ビット単位のパラレルデータに分割してエンコードし、シリアルデータに変換してＴＭＤＳチャネル０を用いてＨＤＭＩレシーバ１１０に送信する。
【００９５】
〔Ａ−２〕エンコーダ／シリアライザ２１２Ｂ
エンコーダ／シリアライザ２１２Ｂは、エンコーダ／シリアライザ２１２Ａと同様に、伝達される各種信号を時分割で送信する。例えば、画像信号のＧ成分が伝達された場合には、所定のビット数である８ビット単位のパラレルデータに分割してエンコードし、シリアルデータに変換してＴＭＤＳチャネル１を用いてＨＤＭＩレシーバ１１０に送信する。
【００９６】
また、エンコーダ／シリアライザ２１２Ｂは、例えば、制御ビットＣＴＬ０、ＣＴＬ１が伝達された場合には、２ビットのパラレルデータにエンコードし、シリアルデータに変換してＴＭＤＳチャネル１を用いてＨＤＭＩレシーバ１１０に送信する。
【００９７】
さらに、エンコーダ／シリアライザ２１２Ｂは、例えば、補助データが伝達された場合には、補助データを４ビット単位のパラレルデータに分割してエンコードし、シリアルデータに変換してＴＭＤＳチャネル１を用いてＨＤＭＩレシーバ１１０に送信する。
【００９８】
〔Ａ−３〕エンコーダ／シリアライザ２１２Ｃ
エンコーダ／シリアライザ２１２Ｃは、エンコーダ／シリアライザ２１２Ａと同様に、伝達される各種信号を時分割で送信する。例えば、画像信号のＲ成分が伝達された場合には、所定のビット数である８ビット単位のパラレルデータに分割してエンコードし、シリアルデータに変換してＴＭＤＳチャネル２を用いてＨＤＭＩレシーバ１１０に送信する。
【００９９】
また、エンコーダ／シリアライザ２１２Ｃは、例えば、制御ビットＣＴＬ２、ＣＴＬ３が伝達された場合には、２ビットのパラレルデータにエンコードし、シリアルデータに変換してＴＭＤＳチャネル２を用いてＨＤＭＩレシーバ１１０に送信する。
【０１００】
さらに、エンコーダ／シリアライザ２１２Ｃは、例えば、補助データが伝達された場合には、補助データを４ビット単位のパラレルデータに分割してエンコードし、シリアルデータに変換してＴＭＤＳチャネル２を用いてＨＤＭＩレシーバ１１０に送信する。
【０１０１】
〔Ｂ〕ＨＤＭＩレシーバ１１０
ＨＤＭＩレシーバ１１０は、ＴＭＤＳチャネル０〜２それぞれに対応するリカバリ／デコーダ１１０Ａ、１１０Ｂ、１１０Ｃを備える。リカバリ／デコーダ１１０Ａ、１１０Ｂ、１１０Ｃそれぞれは、ＨＤＭＩトランスミッタ２１２から差動信号により送信される画像信号、補助データ、制御用データを受信する。そして、リカバリ／デコーダ１１０Ａ、１１０Ｂ、１１０Ｃそれぞれは、受信した画像信号、補助データ、制御用データをシリアルデータからパラレルデータに変換し、デコードして出力する。
【０１０２】
〔Ｂ−１〕リカバリ／デコーダ１１０Ａ
リカバリ／デコーダ１１０Ａは、ＨＤＭＩトランスミッタ２１２からＴＭＤＳチャネル０で送信される、例えば、画像信号のＢ成分と、垂直同期信号および水平同期信号と、補助データとを受信する。そして、リカバリ／デコーダ１１０Ａは、受信した各種信号それぞれをシリアルデータからパラレルデータに変換し、デコードして出力する。
【０１０３】
〔Ｂ−２〕リカバリ／デコーダ１１０Ｂ
リカバリ／デコーダ１１０Ｂは、ＨＤＭＩトランスミッタ２１２からＴＭＤＳチャネル１で送信される、例えば、画像信号のＧ成分と、制御ビットＣＴＬ０およびＣＴＬ１と、補助データとを受信する。そして、リカバリ／デコーダ１１０Ｂは、受信した各種信号それぞれをシリアルデータからパラレルデータに変換し、デコードして出力する。
【０１０４】
〔Ｂ−３〕リカバリ／デコーダ１１０Ｃ
リカバリ／デコーダ１１０Ｃは、ＨＤＭＩトランスミッタ２１２からＴＭＤＳチャネル２で送信される、例えば、画像信号のＲ成分と、制御ビットＣＴＬ２およびＣＴＬ３と、補助データとを受信する。そして、リカバリ／デコーダ１１０Ｃは、受信した各種信号それぞれをシリアルデータからパラレルデータに変換し、デコードして出力する。
【０１０５】
〔各ＴＭＤＳチャネルにおける伝送期間の一例〕
図５は、本発明の実施形態に係るＨＤＭＩの各ＴＭＤＳチャネルにおいて各種信号が伝送される伝送期間の一例を示す説明図である。ここで、図５は、ＴＭＤＳチャネル０〜２において、解像度が７２０×４８０のプログレッシブの画像を示す画像信号が伝送される場合における各種信号の伝送期間を例示している。また、以下では、各ＴＭＤＳチャネルにおいて伝送される各種信号を総称して「伝送データ」という。
【０１０６】
ＨＤＭＩのＴＭＤＳチャネル０〜２において伝送データが伝送されるビデオフィールド（Video  Field）には、伝送データの種類に応じて、例えば、ビデオデータ期間（VideoData  period）、データアイランド期間（Data  Island  period）、およびコントロール期間（Control  period）の３つに分けることができる。
【０１０７】
ここで、ビデオフィールド期間は、ある垂直同期信号の立ち上がりエッジ（active  edge）から次の垂直同期信号の立ち上がりエッジまでの期間である。また、ビデオフィールド期間は、水平ブランキング期間（horizontal  blanking）、垂直ブランキング期間（verticalblanking）、そして、ビデオフィールド期間から水平ブランキング期間および垂直ブランキング期間を除いた期間であるアクティブビデオ期間（Active  Video）に分けることができる。
【０１０８】
ビデオデータ期間は、アクティブビデオ期間に割り当てられる。ビデオデータ期間では、非圧縮の１画面分の画像信号を構成する７２０画素×４８０ライン分の有効画素（Active  pixel）の信号が伝送される。
【０１０９】
データアイランド期間およびコントロール期間は、水平ブランキング期間および垂直ブランキング期間に割り当てられる。データアイランド期間およびコントロール期間では、補助データ（Auxiliary  data）が伝送される。ここで、データアイランド期間は、水平ブランキング期間と垂直ブランキング期間の一部分に割り当てられている。データアイランド期間では、補助データのうち、制御に関係しないデータである、例えば、音声データのパケットなどが伝送される。
【０１１０】
コントロール期間は、水平ブランキング期間と垂直ブランキング期間の他の部分に割り当てられている。コントロール期間では、補助データのうちの制御に関係するデータである、例えば、垂直同期信号および水平同期信号、制御パケットなどが伝送される。
【０１１１】
ここで、本発明の実施形態に係るＨＤＭＩにおけるＴＭＤＳクロックチャネルで伝送されるピクセルクロックの周波数は、例えば、１６５ＭＨｚとすることができ、この場合、データアイランド期間の伝送レートは約５００Ｍｂｐｓ程度となる。
【０１１２】
上述したように、データアイランド期間およびコントロール期間では、いずれも、補助データが伝送されるが、その区別は、制御ビットＣＴＬ０、ＣＴＬ１によって行われる。図６は、本発明の実施形態に係る制御ビットＣＴＬ０、ＣＴＬ１と、データアイランド期間およびコントロール期間との関係の一例を示す説明図である。
【０１１３】
図６（ａ）に示すように、制御ビットＣＴＬ０、ＣＴＬ１は、例えば、デバイスイネーブル（device  enable）状態と、デバイスディセーブル（device  disable）状態との２つの状態を表す。ここで、図６（ａ）では、デバイスイネーブル状態をハイレベル（High）で表しており、デバイスディセーブル状態をローレベル（Low）で表しているが、上記に限られない。
【０１１４】
制御ビットＣＴＬ０、ＣＴＬ１は、データアイランド期間ではデバイスディセーブル状態となり、コントロール期間ではデバイスイネーブル状態となる。したがって、データアイランド期間とコントロール期間とを区別することができる。
【０１１５】
制御ビットＣＴＬ０、ＣＴＬ１がローレベル、すなわち制御ビットＣＴＬ０、ＣＴＬ１がデバイスディセーブル状態を示すデータアイランド期間では、図６（ｂ）に示すように、補助データのうちの制御に関係しないデータである、例えば、音声データなどが伝送される。
【０１１６】
また、制御ビットＣＴＬ０、ＣＴＬ１がハイレベル、すなわち制御ビットＣＴＬ０、ＣＴＬ１がデバイスイネーブル状態を示すコントロール期間では、図６（ｃ）に示すように、補助データのうちの制御に関係するデータである、例えば、制御パケットやプリアンブルなどが伝送される。また、図６（ｄ）に示すように、コントロール期間では、垂直同期信号および水平同期信号も伝送される。
【０１１７】
本発明の実施形態に係る画像表示システムは、図３〜図６に示す通信インタフェースにより、画像再生装置２００、３００、…から送信される画像信号を表示装置１００で表示させることができる。
【０１１８】
（本発明の実施形態に係るコンテンツ識別情報）
次に、本発明の実施形態に係るコンテンツ識別情報について説明する。上述したように、コンテンツ識別情報は、例えば、ＨＤＭＩソース２０６において画像信号のブランキング期間に挿入される。
【０１１９】
図７は、本発明の実施形態に係るデータアイランド期間に配置されるＡＶＩ（Auxiliary  VideoInformation）ＩｎｆｏＦｒａｍｅパケットのデータ構造の一例を示す説明図である。ここで、本発明の実施形態に係るＨＤＭＩでは、ＡＶＩＩｎｆｏＦｒａｍｅパケットにより、画像信号が示す画像に関する付帯情報を画像再生装置２００、３００、…から表示装置１００へ伝送することができる。
【０１２０】
図７を参照すると、本発明の実施形態に係るコンテンツ識別情報は、６バイト目（Data  Byte3）におけるＩＴＣの１ビットと、８バイト目（Data  Byte5）におけるＣＴ１、ＣＴ０の２ビットとに、階層的に配置される。
【０１２１】
例えば、１ビットのデータであるＩＴＣは、画像信号が示す画像が動画コンテンツであるか否かを識別する。ここで、ＩＴＣ＝０であるときは、例えば、通常の動画コンテンツを示し、ＩＴＣ＝１であるときは、通常の動画コンテンツでないことを示す。また、例えば、２ビットのデータであるＣＴ１、ＣＴ０は、ＩＴＣ＝１であるとき有効となる。つまり、ＣＴ１、ＣＴ０は、ＩＴＣにより通常の動画コンテンツでないと判別されるとき、さらに使用される。
【０１２２】
［コンテンツ識別情報の例］
図８は、本発明の実施形態に係るコンテンツ識別情報の一例を示す説明図である。
【０１２３】
図８を参照すると、本発明の実施形態に係るコンテンツ識別情報は、例えば、「テキスト」コンテンツ、「フォトグラフ」コンテンツ、「シネマ」コンテンツ、「ゲーム」コンテンツの４つのコンテンツを識別する。ここで、「テキスト」コンテンツとは、例えば、一般的なＩＴ（Information  Technology）コンテンツを意味する。「フォトグラフ」コンテンツとは、例えば、静止画像のコンテンツを意味する。また、「シネマ」コンテンツとは、映画やホームビデオなどの動画像のコンテンツを意味している。「ゲーム」コンテンツとは、例えば、ＰＣ（Personal  Computer）やゲームコンソールビデオのコンテンツを意味する。
【０１２４】
なお、図８では、ＣＴ１＝０およびＣＴ０＝０であるとき、「テキスト」コンテンツを示し、ＣＴ１＝０およびＣＴ０＝１であるとき、「フォトグラフ」コンテンツ、ＣＴ１＝１およびＣＴ０＝０であるとき、「シネマ」コンテンツ、そしてＣＴ１＝１およびＣＴ０＝１であるとき「ゲーム」コンテンツを示す例を示しているが、本発明の実施形態に係るコンテンツ識別情報が、上記に限られないことは、言うまでもない。
【０１２５】
表示装置１００の制御部１０４は、ＨＤＭＩシンク１０２から伝達されるコンテンツ識別情報に基づいて、調整信号や制御信号を生成し、信号処理部１０６へ伝達する。ここで、制御部１０４が生成する調整信号や制御信号は信号処理部１０６における処理を制御するための信号であり、調整信号や制御信号を伝達された信号処理部１０６は、伝達された調整信号や制御信号に応じて、例えば、処理のスキップや、設定の変更などを行う。以下、本発明の実施形態に係る表示装置１００についてより詳細に説明する。
【０１２６】
（本発明の実施形態に係る表示装置１００）
図９は、本発明の実施形態に係る表示装置１００の構成の一例を示す説明図である。図９を参照すると、図２に示したように、表示装置１００は、ＨＤＭＩシンク１０２と、制御部１０４と、信号処理部１０６と、パネル１０８を備える。
【０１２７】
［信号処理部１０６］
信号処理部１０６は、例えば、クロマデコーダ１２０と、ＤＲＣ部１２２と、エンハンサ１２４と、パネルドライバ１２６とを備える。
【０１２８】
クロマデコーダ１２０は、ＨＤＭＩシンク１０２から伝達される画像信号に対して、色空間の変更などの色に関する処理を行う。また、クロマデコーダ１２０は、制御部１０４から伝達される制御信号に応じて、変更する色空間を切り替える。例えば、クロマデコーダ１２０は、制御信号に応じて「ｓＲＧＢ（standard  RGB）」と「ＡｄｏｂｅＲＧＢ（登録商標）」とを切り替えることができるが、上記に限られない。
【０１２９】
ＤＲＣ部１２２は、クロマデコーダ１２０から伝達される画像信号に対して、例えば、注目画素に対応する画像信号を、注目画素に対応する画像信号と当該注目画素の周辺の画素に対応する画像信号とに応じて再生成することにより画質改善を行う。また、ＤＲＣ部１２２は、制御部１０４から伝達される制御信号に応じて、処理を行うか否かを適宜切り替えることができる。
【０１３０】
エンハンサ１２４は、ＤＲＣ部１２２から伝達される画像信号に対して輪郭強調の処理を行う。また、エンハンサ１２４は、制御部１０４から伝達される制御信号に応じて、処理を行うか否かを適宜切り替えることができる。
【０１３１】
パネルドライバ１２６は、エンハンサ１２４から伝達される画像信号に対して、線形空間内でガンマ補正や、単位時間に占める発光素子の発光時間の比率（すなわち、単位時間における発光と消画の比率；以下、「デューティ（Duty）」という。）の制御などの各種処理を行う。また、パネルドライバ１２６は、制御部１０４から伝達される調整信号に応じて、デューティの制御に係る設定値の変更を行うことができる。パネルドライバ１２６の詳細な構成例については、後述する。
【０１３２】
信号処理部１０６は、上記のような構成により、ＨＤＭＩシンク１０２が受信した画像信号に対して各種の処理を行い、処理後の画像信号をパネル１０８へ伝達することができる。
【０１３３】
制御部１０４は、ＨＤＭＩシンク１０２が受信した制御用データのうちのコンテンツ識別情報に基づいて、コンテンツ識別情報に応じた調整信号および制御信号を生成して信号処理部１０６の各部に伝達する。
【０１３４】
ここで、制御部１０４は、コンテンツ識別情報が示すコンテンツの情報が所定の回数連続して同一の内容を示す場合に、コンテンツ識別情報が示すコンテンツの情報に応じた調整信号および制御信号を生成することができるが、上記に限られない。例えば、制御部１０４は、コンテンツ識別情報が伝達されるごとにコンテンツ識別情報が示すコンテンツの情報に応じた調整信号および制御信号を生成することもできる。
【０１３５】
［コンテンツ識別情報に基づく制御部１０４の処理］
図１０は、本発明の実施形態に係る表示装置１００の制御部１０４におけるコンテンツ識別情報に基づく信号生成方法の一例を説明するための流れ図である。なお、以下では、表示装置１００の信号処理部１０６が、図９に示すようにクロマデコーダ１２０、ＤＲＣ部１２２、エンハンサ１２４、およびパネルドライバ１２６を備える場合を例に挙げて説明する。
【０１３６】
制御部１０４は、ＨＤＭＩシンク１０２から伝達されたコンテンツ識別情報のＩＴＣが、ＩＴＣ＝１であるか否かを判定する（Ｓ１００）。
【０１３７】
ステップＳ１００においてＩＴＣ＝１ではないと判定された場合には、制御部１０４は、標準の調整信号／制御信号を生成し（Ｓ１０２）、生成した調整信号／制御信号を出力する（Ｓ１１８）。ここで、標準の調整信号とは、例えば、信号処理部１０６のパネルドライバ１２６においてデューティの制御に係る設定値を、規定の標準設定値に設定する信号である。また、標準の制御信号とは、例えば、信号処理部１０６のクロマデコーダ１２０、ＤＲＣ部１２２、およびエンハンサ１２４それぞれに規定の標準処理を行わせるための信号である。
【０１３８】
また、制御部１０４は、コンテンツ情報として「ＩＴＣ＝０」が入力された場合にステップＳ１０２の処理を行うことができるが、上記に限られない。例えば、制御部１０４は、「ＩＴＣ＝０」が所定の回数連続してＨＤＭＩシンク１０２から伝達された場合に、ステップＳ１０２の処理を行うことができる。制御部１０４がコンテンツ識別情報が示すコンテンツの情報が所定の回数連続して同一の内容を示す場合に調整信号／制御信号を生成することによって、例えば、１秒間などの短期間に複数回調整信号／制御信号が生成されることによる画質の低下を防止することができる。ここで、制御部１０４は、例えば、ＩＴＣの値を所定の回数分保持し、当該保持されたＩＴＣの値を用いることにより、ＩＴＣの値が所定の回数連続して入力されたか否かを判定することができるが、上記に限られない。なお、図１０で示すその他の判定処理（後述するステップＳ１０４、Ｓ１０６、Ｓ１１２）についても同様に、制御部１０４は、所定の回数連続して判定に用いるコンテンツ識別情報の値が入力された場合に、判定結果に応じた処理を行うことができる。
【０１３９】
ステップＳ１００においてＩＴＣ＝１であると判定された場合には、制御部１０４は、ＨＤＭＩシンク１０２から伝達されたコンテンツ識別情報のＣＴ１が、ＣＴ１＝０であるか否かを判定する（Ｓ１０４）。
【０１４０】
〔１〕ＣＴ１＝０と判定した場合
ステップＳ１０４においてＣＴ１＝０であると判定された場合には、制御部１０４は、ＣＴ０＝０であるか否かを判定する（Ｓ１０６）。
【０１４１】
ステップＳ１０６においてＣＴ０＝０であると判定された場合には、制御部１０４は、「テキスト」コンテンツ用の調整信号／制御信号を生成し（Ｓ１０８）、生成した調整信号／制御信号を出力する（Ｓ１１８）。
【０１４２】
ここで、「テキスト」コンテンツ用の調整信号とは、例えば、信号処理部１０６のパネルドライバ１２６においてデューティの制御に係る設定値を、デューティが大きくなるように調整する所定の第１の値（後述する）に設定する信号である。デューティの制御に係る設定値が上記第１の値に設定されることにより、フリッカー（flicker）の発生を抑制、すなわち、画質を低下させる事象の発生を抑制し、高画質化を図ることができる。
【０１４３】
また、「テキスト」コンテンツ用の制御信号とは、信号処理部１０６のクロマデコーダ１２０、ＤＲＣ部１２２、およびエンハンサ１２４について、例えば、クロマデコーダ１２０およびＤＲＣ部１２２に処理を行わせ、エンハンサ１２４に処理を行わせない（すなわち、処理をスキップさせる）ための信号である。ＨＤＭＩシンク１０２が受信した画像信号が「テキスト」コンテンツに係るものである場合、エンハンサ１２４において輪郭強調処理が行われないことにより、画像信号が示す画像に含まれる文字などのテキスト情報の視認性を高め、例えば、文字が読み難くなることを防止することができる。
【０１４４】
ステップＳ１０６においてＣＴ０＝０ではないと判定された場合には、制御部１０４は、「フォトグラフ」コンテンツ用の調整信号／制御信号を生成し（Ｓ１１０）、生成した調整信号／制御信号を出力する（Ｓ１１８）。
【０１４５】
ここで、「フォトグラフ」コンテンツ用の調整信号とは、例えば、信号処理部１０６のパネルドライバ１２６においてデューティの制御に係る設定値を、デューティが大きくなるように調整する所定の第２の値（後述する）に設定する信号である。デューティの制御に係る設定値が上記第２の値に設定されることにより、フリッカー（flicker）の発生を抑制し、高画質化を図ることができる。
【０１４６】
また、「フォトグラフ」コンテンツ用の制御信号とは、信号処理部１０６のクロマデコーダ１２０、ＤＲＣ部１２２、およびエンハンサ１２４について、例えば、ＤＲＣ部１２２およびエンハンサ１２４に処理を行わせ、クロマデコーダ１２０では、変更する色空間を切り替える。ここで、クロマデコーダ１２０は、「フォトグラフ」コンテンツ用の制御信号が入力された場合には、例えば、「ｓＲＧＢ」から「ＡｄｏｂｅＲＧＢ（登録商標）」へと切り替えることができる。ＨＤＭＩシンク１０２が受信した画像信号が「フォトグラフ」コンテンツに係るものである場合、クロマデコーダ１２０が変更する色空間を静止画用の色空間に切り替えることにより、表示装置１００は、画像信号が示す画像（すなわち静止画像）をより高い画質で表示することができる。
【０１４７】
〔２〕ＣＴ１＝０ではないと判定した場合
ステップＳ１０４においてＣＴ１＝０ではないと判定された場合には、制御部１０４は、ＣＴ０＝０であるか否かを判定する（Ｓ１１２）。
【０１４８】
ステップＳ１１２においてＣＴ０＝０であると判定された場合には、制御部１０４は、「シネマ」コンテンツ用の調整信号／制御信号を生成し（Ｓ１１４）、生成した調整信号／制御信号を出力する（Ｓ１１８）。
【０１４９】
ここで、「シネマ」コンテンツ用の調整信号とは、例えば、信号処理部１０６のパネルドライバ１２６においてデューティの制御に係る設定値を、デューティが小さくなるように調整する所定の第３の値（後述する）に設定する信号である。デューティの制御に係る設定値が上記第３の値に設定されることにより、動きボケの発生を抑制、すなわち、画質を低下させる事象の発生を抑制し、高画質化を図ることができる。
【０１５０】
また、「シネマ」コンテンツ用の制御信号とは、例えば、ステップＳ１０２と同様に、信号処理部１０６のクロマデコーダ１２０、ＤＲＣ部１２２、およびエンハンサ１２４それぞれに規定の標準処理を行わせるための信号である。
【０１５１】
ステップＳ１１２においてＣＴ０＝０でないと判定された場合には、制御部１０４は、「ゲーム」コンテンツ用の調整信号／制御信号を生成し（Ｓ１１４）、生成した調整信号／制御信号を出力する（Ｓ１１８）。
【０１５２】
ここで、「ゲーム」コンテンツ用の調整信号とは、例えば、信号処理部１０６のパネルドライバ１２６においてデューティの制御に係る設定値を、デューティが小さくなるように調整する所定の第４の値（後述する）に設定する信号である。デューティの制御に係る設定値が上記第４の値に設定されることにより、動きボケの発生を抑制し、高画質化を図ることができる。
【０１５３】
また、「ゲーム」コンテンツ用の制御信号とは、信号処理部１０６のクロマデコーダ１２０、ＤＲＣ部１２２、およびエンハンサ１２４について、例えば、クロマデコーダ１２０およびエンハンサ１２４に処理を行わせ、ＤＲＣ部１２２に処理を行わせない（すなわち、処理をスキップさせる）ための信号である。ＨＤＭＩシンク１０２が受信した画像信号が「ゲーム」コンテンツに係るものである場合、ＤＲＣ部１２２において画質改善処理が行われないことにより、例えば、画質改善処理によって生じうる再生された音声に対する表示される画像の遅れを軽減することができるので、例えば、ユーザが感じる音声と画像とのずれによる違和感の発生を防止することができる。
【０１５４】
制御部１０４は、例えば、図１０に示す信号生成方法を用いることにより、コンテンツ識別情報に基づいて、調整信号および制御信号を生成し、信号処理部１０６の各部に伝達することができる。なお、図１０では、コンテンツ識別情報として、例えば、「テキスト」コンテンツ、「フォトグラフ」コンテンツ、「シネマ」コンテンツ、「ゲーム」コンテンツの４つのコンテンツを対象とした例を挙げたが、本発明の実施形態に係る表示装置の制御部が、上記４つのコンテンツを対象とすることに限られないことは、言うまでもない。
【０１５５】
［パネルドライバ１２６］
次に、本発明の実施形態に係る信号処理部１０６を構成するパネルドライバ１２６の構成について、より詳細に説明する。
【０１５６】
図１１は、本発明の実施形態に係る表示装置１００のパネルドライバ１２６の構成例を示すブロック図である。なお、図１１では、パネルドライバ１２６に加え、表示装置１００を構成する制御部１０４、記録部１３０、記憶部１３２、過電流検出部１３４、データドライバ１３６、ガンマ回路１３８、およびパネル１０８を併せて示している。
【０１５７】
記録部１３０は、表示装置１００が備える一の記憶手段であり、制御部１０４においてパネルドライバ１２６を制御するための情報を保持することができる。記録部１３０に保持される情報としては、例えば、制御部１０４がパネルドライバ１２６から送信される信号に対して信号処理を行うためのパラメータが予め設定されているテーブルなどが挙げられる。また、記録部１３０としては、例えば、ハードディスクなどの磁気記録媒体や、ＥＥＰＲＯＭ、フラッシュメモリなどの不揮発性メモリが挙げられるが、上記に限られない。
【０１５８】
パネルドライバ１２６は、入力される画像信号に対して信号処理を施すことができる。ここで、パネルドライバ１２６は、ハードウェア（例えば、信号処理回路）および／またはソフトウェア（信号処理ソフトウェア）で信号処理を行うことができる。以下に、パネルドライバ１２６の構成の一例を示す。
【０１５９】
〔パネルドライバ１２６の構成例〕
パネルドライバ１２６は、例えば、エッジぼかし部１４０と、Ｉ／Ｆ部１４２と、リニア変換部１４４と、パターン生成部１４６と、色温度調整部１４８と、静止画検波部１５０と、長期色温度補正部１５２と、発光時間制御部１５４と、信号レベル補正部１５６と、長期色温度補正検波部１５８と、ムラ補正部１６０と、ガンマ変換部１６２と、ディザ処理部１６４と、信号出力部１６６と、ゲートパルス出力部１６８と、ガンマ回路制御部１７０とを備える。
【０１６０】
エッジぼかし部１４０は、入力された画像信号に対してエッジをぼかすための信号処理を行う。具体的には、エッジぼかし部１４０は、例えば、画像信号が示す画像を意図的にずらすことによりエッジをぼかし、パネル１０８における画像の焼き付き現象を抑える。ここで、画像の焼き付き現象とは、パネル１０８が有する特定の画素の発光頻度が他の画素に比べて高い場合に生じる発光特性の劣化現象のことである。画像の焼き付き現象により劣化した画素は、他の劣化していない画素に比べて輝度が低下する。そのため、劣化した画素と、当該画素の周辺の劣化していない部分との輝度差が大きくなる。この輝度の差によって、例えば、表示装置１００が表示する映像や画像を見る表示装置１００のユーザからは、画面に文字が焼き付いてしまったように見えてしまう。
【０１６１】
Ｉ／Ｆ部１４２は、例えば、制御部１０４など、パネルドライバ１２６の外部の構成要素との間で信号の送受信を行うためのインタフェースである。
【０１６２】
リニア変換部１４４は、入力される画像信号に対してガンマ補正を行うことにより、線形な画像信号に補正する。例えば、入力される画像信号のガンマ値が“２．２”である場合には、リニア変換部１４４は、ガンマ値が“１．０”となるように画像信号を補正する。
【０１６３】
パターン生成部１４６は、表示装置１００の内部における信号処理で使用するテストパターンを生成する。表示装置１００の内部における信号処理で使用するテストパターンとしては、例えば、パネル１０８の表示検査に用いるテストパターンが挙げられるが、上記に限られない。
【０１６４】
色温度調整部１４８は、画像信号が示す画像の色温度の調整を行い、表示装置１００のパネル１０８で表示する色の調整を行う。なお、表示装置１００は、表示装置１００を使用するユーザが色温度を調整することが可能な色温度調整手段（図示せず）を備えることもできる。表示装置１００が色温度調整手段（図示せず）を備えることにより、ユーザは画面に表示される画像の色温度を調整することができる。ここで、表示装置１００が備えることが可能な色温度調整手段（図示せず）としては、例えば、ボタン、方向キー、ジョグダイヤルなどの回転型セレクター、あるいは、これらの組み合わせなどが挙げられるが、上記に限られない。また、上記色温度調整手段（図示せず）は、操作部（図示せず）と一体の部とすることもできる。
【０１６５】
静止画検波部１５０は、入力される画像信号の時系列的な差分を検出し、所定の時間差分が検出されない場合には、画像信号が静止画像を示すものであると判定する。静止画検波部１５０の検出結果は、例えば、パネル１０８の焼き付き現象の防止や、発光素子の劣化抑制のために用いることができる。
【０１６６】
長期色温度補正部１５２は、パネル１０８が有する各画素を構成するＲ、Ｇ、Ｂのサブピクセルの経年変化を補正する。ここで、画素のサブピクセルを構成する各色の発光素子（有機ＥＬ素子）それぞれは、ＬＴ特性（輝度−時間特性）が異なる。よって、経時的な発光素子の劣化に伴い、パネル１０８に画像信号が示す画像を表示する場合における色のバランスが崩れてしまう。したがって、長期色温度補正部１５２は、サブピクセルを構成する各色の発光素子（有機ＥＬ素子）の経時的な劣化の補償を行う。
【０１６７】
発光時間制御部１５４は、パネル１０８が有する各画素の単位時間当たりの発光時間を制御する。より具体的には、発光時間制御部１５４は、単位時間に占める発光素子の発光時間の比率、すなわち、デューティを制御することができる。表示装置１００は、デューティに基づいて、パネル１０８が有する画素に選択的に電流を印加することにより、画像信号が示す画像を所望する時間表示させることができる。また、本発明の実施形態に係る「単位時間」は、「周期的に繰り返される単位時間」とすることができる。なお、以下では、「単位時間」を「１フレーム期間」として説明するが、本発明の実施形態に係る「単位時間」が「１フレーム期間」に限られないことは、言うまでもない。
【０１６８】
また、発光時間制御部１５４は、パネル１０８が有する各画素（厳密には、各画素が有する発光素子）に過電流が流れることを防止するように発光時間（デューティ）を制御することができる。ここで、発光時間制御部１５４が防止する過電流（over  current）とは、主にパネル１０８が有する画素が許容する電流量より大きな電流が画素に流れること（過負荷）を指す。
【０１６９】
さらに、発光時間制御部１５４は、発光時間（デューティ）の制御に加えて、画像信号のゲインを制御することもできる。発光時間制御部１５４が発光時間（デューティ）と画像信号のゲインとを制御することによって、過電流の防止と共に、例えば、フリッカーや動きぼけなどの画質を低下させる事象の発生を抑制し、高画質化を図ることができる。
【０１７０】
本発明の実施形態に係る発光時間制御部１５４の構成と、本発明の実施形態に係る表示装置１００における発光時間および画像信号のゲインの制御については、後述する。
【０１７１】
信号レベル補正部１５６は、画像の焼き付き現象の発生を防止するために、画像の焼き付き現象の発生の危険度を判別する。そして、信号レベル補正部１５６は、例えば、危険度が所定の値以上となった場合には、画像の焼き付き現象を防ぐために、画像信号の信号レベルを補正することでパネル１０８に表示する画像の輝度を調整する。
【０１７２】
長期色温度補正検波部１５８は、長期色温度補正部１５２において発光素子の経時的な劣化の補償を行うために用いる情報を検知する。長期色温度補正検波部１５８で検知した情報は、例えば、Ｉ／Ｆ部１４２を通じて制御部１０４に送られ、制御部１０４を経由して記録部１３０に記録される。
【０１７３】
ムラ補正部１６０は、画像信号が示す画像をパネル１０８に表示させた場合に生じうる、例えば、横筋、縦筋および画面全体の斑などのムラを補正する。ムラ補正部１６０は、例えば、入力される画像信号のレベルや座標位置を基準に補正を行うことができる。
【０１７４】
ガンマ変換部１６２は、リニア変換部１４４において線形な画像信号となるようにガンマ補正された画像信号（より厳密には、ムラ補正部１６０から出力される画像信号）に対してガンマ補正を行い、画像信号が所定のガンマ値を有するように補正する。ここで、所定のガンマ値とは、表示装置１００のパネル１０８が備える画素回路のＶＩ特性（電圧−電流特性；厳密には、画素回路が備えるトランジスタのＶＩ特性）を打ち消すことが可能な値である。ガンマ変換部１６２が、画像信号が上記所定のガンマ値を有するようにガンマ補正を行うことにより、画像信号が示す被写体の光量と、発光素子に印加する電流量との関係を線形に扱うことができる。
【０１７５】
ディザ処理部１６４は、ガンマ変換部１６２においてガンマ補正された画像信号に対してディザリング（dithering）処理を行う。ここで、ディザリングとは、使用可能な色数が少ない環境で中間色を表現するために、表示可能な色を組み合わせて表示することである。ディザ処理部１６４がディザリング処理を行うことにより、本来パネル１０８上では表示できない色を、見かけ上作り出しパネル１０８に表示させることができる。
【０１７６】
信号出力部１６６は、ディザ処理部１６４においてディザリング処理が行われた画像信号を、パネルドライバ１２６の外部に出力する。ここで、信号出力部１６６から出力される画像信号は、例えば、Ｒ、Ｇ、Ｂ各色ごとに独立の信号とすることができる。
【０１７７】
ゲートパルス出力部１６８は、パネル１０８が有する各画素の発光、および発光時間を制御する選択信号を出力する。ここで、選択信号は、発光時間制御部１５４から出力されるデューティに基づくものであり、例えば、選択信号がハイレベルのとき画素が有する発光素子を発光させ、また、選択信号がローレベルのとき画素が有する発光素子を非発光とすることができる。
【０１７８】
ガンマ回路制御部１７０は、ガンマ回路１３８（後述する）に所定の設定値を出力する。ここで、ガンマ回路制御部１７０がガンマ回路１３８へ出力する所定の設定値としては、例えば、データドライバ１３６（後述する）が有するＤ／Ａコンバータ（Digital-to-Analog  Converter）のラダー抵抗に与えるための基準電圧が挙げられる。
【０１７９】
パネルドライバ１２６は、上述した構成により、入力される画像信号に対して各種信号処理を行うことができる。
【０１８０】
記憶部１３２は、表示装置１００が備える他の記憶手段である。記憶部１３２が保持する情報としては、例えば、信号レベル補正部１５６で輝度を補正する場合に必要となる、所定の輝度を上回って発光している画素または画素群の情報と、当該上回っている量の情報とを対応付けた情報が挙げられるが、上記に限られない。また、記憶部１３２としては、例えば、ＳＤＲＡＭ（Synchronous  Dynamic  Random  Access  Memory）やＳＲＡＭ（Static  Random  Access  Memory）などの揮発性メモリ（volatile  memory）が挙げられるが、上記に限られず、例えば、ハードディスクなどの磁気記録媒体や、フラッシュメモリなどの不揮発性メモリであってもよい。
【０１８１】
過電流検出部１３４は、例えば、表示装置１００の構成要素が備わる基盤（図示せず）において配線がショートすることなどによって過電流が生じた場合、当該過電流を検出してゲートパルス出力部１６８に過電流の発生を通知する。過電流検出部１３４からの過電流の発生の通知を受けたゲートパルス出力部１６８が、例えば、パネル１０８が有する各画素へと選択信号を印加しないことにより、過電流がパネル１０８に印加されることを防止することができる。
【０１８２】
データドライバ１３６は、信号出力部１６６から出力された画像信号をパネル１０８の各画素へ印加するための電圧信号へと変換して、当該電圧信号をパネル１０８へ出力する。ここで、データドライバ１３６は、例えば、デジタル信号としての画像信号をアナログ信号としての電圧信号へと変換するためのＤ／Ａコンバータを備える。
【０１８３】
ガンマ回路１３８は、データドライバ１３６が備えるＤ／Ａコンバータのラダー抵抗に与えるための基準電圧を出力する。ガンマ回路１３８がデータドライバ１３６へと出力する基準電圧は、ガンマ回路制御部１７０が制御することができる。
【０１８４】
本発明の実施形態に係る表示装置１００は、図１１に示すような構成のパネルドライバ１２６を備えることにより、ＨＤＭＩシンク１０２が受信した画像信号に応じた画像を表示することができる。なお、図１１では、リニア変換部１４４の後段にパターン生成部１４６を備えるパネルドライバ１２６を示したが、上記の構成に限られず、本発明の実施形態に係るパネルドライバは、リニア変換部の前段にパターン生成部を備えることもできる。
【０１８５】
（表示装置１００における信号特性の遷移の概要）
次に、上述した本発明の実施形態に係る表示装置１００における信号特性の遷移の概要について説明する。図１２は、本発明の実施形態に係る表示装置１００における信号特性の遷移の概要を示す説明図である。
【０１８６】
ここで、図１２に示す（ａ）〜（ｆ）の各グラフは、表示装置１００のパネルドライバ１２６における処理を時系列に示したものであり、例えば、“図１２（ａ）における処理結果の信号特性が、図１２（ｂ）の左図に対応する”というように、図１２（ｂ）〜（ｅ）の左図は、前段の処理結果の信号特性を表している。また、図１２（ａ）〜（ｅ）の右図は、処理において係数として用いられる信号特性を表している。
【０１８７】
〔ｉ〕第１の信号特性の遷移：リニア変換部１４４の処理による遷移
図１２（ａ）の左図に示すように、例えば、ＨＤＭＩシンク１０２が受信しパネルドライバ１２６に入力される画像信号は、所定のガンマ値（例えば、“２．２”）を有している。パネルドライバ１２６のリニア変換部１４４は、パネルドライバ１２６に入力される画像信号のガンマ値を打ち消すように、パネルドライバ１２６に入力される画像信号が示すガンマ曲線（図１２（ａ）の左図）とは逆のガンマ曲線（リニアガンマ；図１２（ａ）の右図）を掛け合わせることにより、画像信号が示す被写体の光量と出力Ｂとの関係が線形な特性を有する画像信号に補正する。
【０１８８】
〔ｉｉ〕第２の信号特性の遷移：ガンマ変換部１６２の処理による遷移
パネルドライバ１２６のガンマ変換部１６２は、パネル１０８が備えるトランジスタのＶＩ特性（図１２（ｄ）の右図）を打ち消すために、予めパネル１０８固有のガンマ曲線とは逆のガンマ曲線（パネルガンマ；図１２（ｂ）の右図）を掛け合わせる。
【０１８９】
〔ｉｉｉ〕第３の信号特性の遷移：データドライバ１３６におけるＤ／Ａ変換による遷移
図１２（ｃ）は、データドライバ１３６において画像信号がＤ／Ａ変換された場合を示している。図１２（ｃ）に示すように、データドライバ１３６において画像信号がＤ／Ａ変換されることにより、画像信号における画像信号が示す被写体の光量と、画像信号がＤ／Ａ変換された電圧信号との関係は、図１２（ｄ）の左図のようになる。
【０１９０】
〔ｉｖ〕第４の信号特性の遷移：パネル１０８の画素回路における遷移
図１２（ｄ）は、データドライバ１３６によりパネル１０８が備える画素回路に電圧信号が印加された場合を示している。図１２（ｂ）に示すように、パネルドライバ１２６のガンマ変換部１６２は、パネル１０８が備えるトランジスタのＶＩ特性に対応するパネルガンマを予め掛け合わせている。したがって、パネル１０８が備える画素回路に電圧信号が印加された場合には、画像信号における画像信号が示す被写体の光量と、画素回路に印加される電流との関係は、図１２（ｅ）の左図に示すように線形となる。
【０１９１】
〔ｖ〕第５の信号特性の遷移：パネル１０８の発光素子（有機ＥＬ素子）における遷移
図１２（ｅ）の右図に示すように、有機ＥＬ素子（ＯＬＥＤ）のＩＬ特性は線形となる。したがって、パネル１０８の発光素子では、図１２（ｅ）に示すように線形な信号特性を有するもの同士が掛け合わさることによって、画像信号における画像信号が示す被写体の光量と、発光素子から発光される発光量との関係もまた線形の関係を有する（図１２（ｆ））。
【０１９２】
図１２に示すように、表示装置１００は、ＨＤＭＩシンク１０２が受信した画像信号が示す被写体の光量と、発光素子から発光される発光量との関係を線形とすることができる。したがって、表示装置１００は、画像信号に忠実な画像を表示することができる。
【０１９３】
（１フレーム期間における発光時間および画像信号のゲインの制御）
次に、本発明の実施形態に係る１フレーム期間における発光時間（デューティ）および画像信号のゲインの制御について説明する。本発明の実施形態に係る１フレーム期間における発光時間および画像信号のゲインの制御は、パネルドライバ１２６の発光時間制御部１５４が行うことができる。
【０１９４】
図１３は、本発明の実施形態に係る発光時間制御部１５４の一例を示すブロック図である。以下では、発光時間制御部１５４に入力される画像信号が、１フレーム期間（単位時間）ごとの画像に対応する、Ｒ、Ｇ、Ｂ各色ごとに独立の信号であるとして説明する。
【０１９５】
図１３を参照すると、発光時間制御部１５４は、平均輝度算出部４００と、発光量規定部４０２と、調整部４０４とを備える。
【０１９６】
平均輝度算出部４００は、入力されるＲ、Ｇ、Ｂの画像信号に基づいて、所定期間における輝度の平均値を算出する。ここで、所定期間としては、例えば、１フレーム期間が挙げられるが、上記に限られず、例えば、２フレーム期間であってもよい。
【０１９７】
また、平均輝度算出部４００は、例えば、所定期間ごとに輝度の平均値を算出する（すなわち、一定周期における輝度の平均値を算出する）ことができるが、上記に限られず、所定期間が可変する期間であってもよい。
【０１９８】
以下では、所定期間を１フレーム期間とし、平均輝度算出部４００が１フレーム期間ごとに輝度の平均値を算出するものとして説明する。
【０１９９】
[平均輝度算出部４００の構成]
図１４は、本発明の実施形態に係る平均輝度算出部４００を示すブロック図である。図１４を参照すると、平均輝度算出部４００は、電流比調整部４５０と、平均値算出部４５２とを備える。
【０２００】
電流比調整部４５０は、入力されるＲ、Ｇ、Ｂの画像信号それぞれに対して、各色ごとに所定の補正係数を乗算することによって、入力されるＲ、Ｇ、Ｂの画像信号の電流比の調整を行う。ここで、上記所定の補正係数は、例えば、パネル１０８が有する画素を構成するＲの発光素子、Ｇの発光素子、およびＢの発光素子それぞれのＶＩ比率（電圧−電流比率）に対応する各色ごとに異なる値である。
【０２０１】
図１５は、本発明の実施形態に係る画素を構成する各色の発光素子のＶＩ比率の一例を示す説明図である。図１５に示すように、画素を構成する各色の発光素子のＶＩ比率は、「Ｂの発光素子＞Ｒの発光素子＞Ｇの発光素子」というように各色ごとに異なる。ここで、上述したように、表示装置１００は、ガンマ変換部１６２においてパネル１０８に固有のガンマ曲線とは逆のガンマ曲線を掛け合わせることにより、パネル１０８に固有のガンマ値をキャンセルして線形領域で処理を行うことができる。したがって、例えば、デューティを所定の値（例えば、“０．２５”）に固定して図１５に示すようなＶＩの関係を予め導くことによって、Ｒの発光素子、Ｇの発光素子、およびＢの発光素子それぞれのＶＩ比率を予め求めることができる。
【０２０２】
なお、電流比調整部４５０が用いる上記所定の補正係数は、電流比調整部４５０が記憶手段を備え、当該記憶手段に保持されてもよい。ここで、電流比調整部４５０が備える記憶手段としては、例えば、ＥＥＰＲＯＭやフラッシュメモリなどの不揮発性メモリが挙げられるが、上記に限られない。また、電流比調整部４５０が用いる上記所定の補正係数は、記録部１３０や記憶部１３２などの表示装置１００が備える記憶手段に保持され、電流比調整部４５０が適宜読み出すこともできる。
【０２０３】
平均値算出部４５２は、電流比調整部４５０が調整したＲ、Ｇ、Ｂの画像信号から、１フレーム期間における平均輝度（ＡＰＬ；Average  Picture  Level）を算出する。ここで、平均値算出部４５２が算出する１フレーム期間における平均輝度の算出方法としては、例えば、相加平均を用いることが挙げられるが、上記に限られず、例えば、相乗平均や加重平均を用いて算出することもできる。
【０２０４】
平均輝度算出部４００は、以上のようにして１フレーム期間における平均輝度を算出して出力する。
【０２０５】
再度図１３を参照すると、発光量規定部４０２は、平均輝度算出部４００が算出した１フレーム期間における平均輝度に応じた基準デューティを設定する。ここで、基準デューティとは、単位時間（例えば、１フレーム期間）において画素（発光素子）を発光させる発光量を規定するための基準となるデューティである。
【０２０６】
１フレーム期間（単位時間）における発光量は、以下の数式１で表すことができる。ここで、Ｌｕｍは発光量、Ｓｉｇは信号レベル、Ｄｕｔｙは発光時間を表している。
【０２０７】
Lum＝（Sig）×（Duty）
・・・（数式１）
【０２０８】
数式１に示すように、基準デューティが設定されることにより、発光量は、入力される画像信号の信号レベル、すなわち画像信号のゲインのみに依存することとなる。
【０２０９】
また、発光量規定部４０２における基準デューティの設定は、例えば、１フレーム期間における平均輝度と基準デューティとが対応付けられたルックアップテーブル（Look  Up  Table）を用いて行うことができる。ここで、発光量規定部４０２は、例えば、ＥＥＰＲＯＭやフラッシュメモリなどの不揮発性メモリや、ハードディスクなどの磁気記録媒体などの記憶手段に上記ルックアップテーブルを記憶することができる。
【０２１０】
[本発明の実施形態に係るルックアップテーブルに保持される値の導出方法]
ここで、本発明の実施形態に係るルックアップテーブルに保持される値の導出方法について説明する。図１６は、本発明の実施形態に係るルックアップテーブルに保持される値の導出方法を説明する説明図であり、１フレーム期間における平均輝度（ＡＰＬ）と、基準デューティ（Ｄｕｔｙ）との関係を示している。なお、図１６は、１フレーム期間における平均輝度が１０ビットのデジタルデータで表される場合を例として示しているが、本発明の実施形態に係る１フレーム期間における平均輝度が１０ビットのデジタルデータに限られないことは、言うまでもない。
【０２１１】
また、本発明の実施形態に係るルックアップテーブルは、所定のデューティにおいて輝度が最大（このとき、パネル１０８には「白」の画像が表示される。）の場合における発光量を基準として導出される。
【０２１２】
図１６に示す面積Ｓは、所定のデューティとして２５％が設定され、輝度が最大の場合における発光量を表している。なお、本発明の実施形態に係る所定のデューティは、２５％に限られず、表示装置１００が備えるパネル１０８の特性（例えば、発光素子の特性など）や表示装置１００のＭＴＢＦ（Mean  Time  Between  Failure）などに合わせて設定することができる。
【０２１３】
図１６に示す曲線ａは、基準デューティを２５％より大きくした場合において、１フレーム期間における平均輝度（ＡＰＬ）と、基準デューティ（Ｄｕｔｙ）との積が、面積Ｓと等しくなるような値を通る曲線である。
【０２１４】
図１６に示す直線ｂは、曲線ａに対して、基準デューティの上限値Ｌを規定する直線である。図１６に示すように、本発明の実施形態に係るルックアップテーブルでは、基準デューティに上限値を設けることができる。本発明の実施形態において基準デューティに上限値を設ける理由は、例えば、デューティに係る「輝度」と、動画像を表示した場合の「動きぼけ」とにおけるトレードオフの関係に起因する問題の解決を図るためである。ここで、デューティに係る「輝度」と「動きぼけ」とにおけるトレードオフの関係に起因する問題とは、以下のことを指す。
＜デューティが大きい場合＞
・輝度：高くなる
・動きぼけ：大きくなる
＜デューティが小さい場合＞
・輝度：低くなる
・動きぼけ：小さくなる
【０２１５】
したがって、本発明の実施形態に係るルックアップテーブルでは、基準デューティに上限値Ｌを設定して「輝度」と「動きぼけ」との間で一定のバランスをとることにより、輝度と動きぼけとのトレードオフの関係に起因する問題を解決を図る。ここで、基準デューティの上限値Ｌは、例えば、表示装置１００が備えるパネル１０８の特性（例えば、発光素子の特性など）に合わせて設定することができる。
【０２１６】
発光量規定部４０２は、例えば、図１６に示す曲線ａおよび直線ｂ上の値をとるように、１フレーム期間における平均輝度と、基準デューティとが対応付けられて保持されるルックアップテーブルを用いることにより、平均輝度算出部４００が算出した１フレーム期間における平均輝度に応じた基準デューティを設定することができる。なお、上記では、例えば図１６に示すように、発光量規定部４０２において基準デューティに上限値Ｌが設定される例を示したが、本発明の実施形態は上記に限られない。例えば、調整部４０４の発光時間調整部４０６（後述する）が、デューティに所定の上限値を設けることもできる。
【０２１７】
再度図１３を参照して発光時間制御部１５４について説明する。調整部４０４は、発光時間調整部４０６とゲイン調整部４０８とを備え、発光量規定部４０２から出力される基準デューティおよび画像信号のゲインそれぞれの調整を行う。
【０２１８】
発光時間調整部４０６は、発光量規定部４０２から出力される基準デューティを調整し、単位時間当たりにパネル１０８の発光素子それぞれを発光させる発光時間を実質的に規定する実デューティを出力する。以下では、発光時間調整部４０６において基準デューティを調整して実デューティを出力することを「実デューティの調整」という。以下、発光時間調整部４０６における実デューティの調整例について説明する。
【０２１９】
〔Ｉ〕実デューティの第１の調整例：下限値の設定
図１７は、本発明の実施形態に係る発光時間調整部４０６における実デューティの第１の調整例を説明するための説明図である。図１７は、発光量規定部４０２から出力される基準デューティ（Ｄｕｔｙ）と、発光時間調整部４０６から出力される実デューティ（Ｄｕｔｙ’）との関係を示している。
【０２２０】
図１７を参照すると、発光量規定部４０２から出力される基準デューティ（Ｄｕｔｙ）と発光時間調整部４０６から出力される実デューティ（Ｄｕｔｙ’）とは、基本的に傾き１の比例関係にあるが、実デューティ（Ｄｕｔｙ’）に下限値Ｌ１が設けられていることが分かる。
【０２２１】
上述したように、デューティが小さい場合には、「動きぼけ」が小さくなるというメリットがある反面、「輝度」が低くなるというデメリットが生じる。また、デューティがある程度短くとなると、フリッカーが起こる（目立つ）というデメリットも生じてしまう。そこで、発光時間調整部４０６は、実デューティ（Ｄｕｔｙ’）に下限値Ｌ１を設けることによって、発光量規定部４０２から出力される基準デューティ（Ｄｕｔｙ）が、Ｌ１≦Ｄｕｔｙ（規定範囲内）のときには基準デューティを実デューティとして出力し、基準デューティ（Ｄｕｔｙ）が、Ｌ１＞Ｄｕｔｙ（規定範囲外）のときには下限値Ｌ１を実デューティとして出力する。発光時間調整部４０６が上記のように実デューティを調整することによって、上記デメリットの発生を抑制して画質の低下を防止することができる。
【０２２２】
発光時間調整部４０６が、例えば、図１７に示すように実デューティを調整することによって、表示装置１００が表示する画像の画質の低下を防止し、高画質化を図ることができる。
【０２２３】
ここで、実デューティの調整は、例えば、発光時間調整部４０６が下限値Ｌ１を記憶手段（図示せず）に予め記憶し、発光量規定部４０２から出力される基準デューティと下限値Ｌ１とを比較することにより行うことができるが、上記に限られない。また、下限値Ｌ１は、発光時間調整部４０６が記憶手段を備え、当該記憶手段に保持されてもよい。ここで、発光時間調整部４０６が備える記憶手段としては、例えば、ＥＥＰＲＯＭやフラッシュメモリなどの不揮発性メモリが挙げられるが、上記に限られない。また、発光時間調整部４０６が用いる下限値Ｌ１は、記録部１３０や記憶部１３２などの表示装置１００が備える記憶手段に保持され、発光時間調整部４０６が適宜読み出すこともできる。
【０２２４】
また、下限値Ｌ１は、パネル１０８に映像を表示させた場合においてフリッカーが目立たない値に設定することができ、例えば、パネル１０８の特性（例えば、発光素子の特性など）に合わせて設定することができる。
【０２２５】
〔ＩＩ〕実デューティの第２の調整例：上限値の設定
図１８は、本発明の実施形態に係る発光時間調整部４０６における実デューティの第２の調整例を説明するための説明図である。図１８は、図１７と同様に、発光量規定部４０２から出力される基準デューティ（Ｄｕｔｙ）と、発光時間調整部４０６から出力される実デューティ（Ｄｕｔｙ’）との関係を示している。
【０２２６】
図１８を参照すると、発光量規定部４０２から出力される基準デューティ（Ｄｕｔｙ）と発光時間調整部４０６から出力される実デューティ（Ｄｕｔｙ’）とは、基本的に傾き１の比例関係にあるが、実デューティ（Ｄｕｔｙ’）に上限値Ｌ２が設けられていることが分かる。
【０２２７】
上述したように、デューティが大きい場合には、「輝度」が高くなるというメリットがある反面、「動きぼけ」が大きくなるというデメリットが生じる。そこで、発光時間調整部４０６は、実デューティ（Ｄｕｔｙ’）に上限値Ｌ２を設けることによって、発光量規定部４０２から出力される基準デューティ（Ｄｕｔｙ）が、Ｄｕｔｙ≦Ｌ２（規定範囲内）のときには基準デューティを実デューティとして出力し、基準デューティ（Ｄｕｔｙ）が、Ｄｕｔｙ＞Ｌ２（規定範囲外）のときには上限値Ｌ２を実デューティとして出力する。発光時間調整部４０６が上記のように実デューティを調整することによって、上記デメリットの発生を抑制して画質の低下を防止することができる。
【０２２８】
発光時間調整部４０６が、例えば、図１８に示すように実デューティを調整することによって、表示装置１００が表示する画像の画質の低下を防止し、高画質化を図ることができる。
【０２２９】
ここで、実デューティの調整は、例えば、発光時間調整部４０６が上限値Ｌ２を記憶手段（図示せず）に予め記憶し、発光量規定部４０２から出力される基準デューティと上限値Ｌ２とを比較することにより行うことができるが、上記に限られない。例えば、発光時間調整部４０６は、発光量規定部４０２から出力される基準デューティの値をクリップすることにより、上限値Ｌ２が設定された実デューティを出力することもできる。
【０２３０】
また、上限値Ｌ２は、パネル１０８に映像を表示させた場合において動きぼけが目立たない値に設定することができ、例えば、パネル１０８の特性（例えば、発光素子の特性など）に合わせて設定することができる。
【０２３１】
〔ＩＩＩ〕実デューティの第３の調整例：下限値・上限値の設定
実デューティの第１、第２の調整例では、実デューティに下限値Ｌ１または上限値Ｌ２をそれぞれ設ける例を示した。しかしながら、発光時間調整部４０６における実デューティの調整は、第１、第２の調整例に限られない。図１９は、本発明の実施形態に係る発光時間調整部４０６における実デューティの第３の調整例を説明するための説明図である。図１９は、図１７と同様に、発光量規定部４０２から出力される基準デューティ（Ｄｕｔｙ）と、発光時間調整部４０６から出力される実デューティ（Ｄｕｔｙ’）との関係を示している。
【０２３２】
図１９を参照すると、発光量規定部４０２から出力される基準デューティ（Ｄｕｔｙ）と発光時間調整部４０６から出力される実デューティ（Ｄｕｔｙ’）とは、基本的に傾き１の比例関係にあるが、実デューティ（Ｄｕｔｙ’）に下限値Ｌ１および上限値Ｌ２が設けられていることが分かる。つまり、第３の調整例では、発光時間調整部４０６は、発光量規定部４０２から出力される基準デューティ（Ｄｕｔｙ）がＬ１≦Ｄｕｔｙ≦Ｌ２（規定範囲内）のときには基準デューティを実デューティとして出力する。また、発光時間調整部４０６は、Ｌ１＞Ｄｕｔｙ（規定範囲外）のときには下限値Ｌ１を実デューティとして出力し、Ｄｕｔｙ＞Ｌ２（規定範囲外）のときには上限値Ｌ２を実デューティとして出力する。
【０２３３】
発光時間調整部４０６は、実デューティ（Ｄｕｔｙ’）に下限値Ｌ１および上限値Ｌ２を設けることにより、輝度と動きぼけとのトレードオフの関係に起因するデメリット（第１、第２の調整例で示したデメリット）の発生を抑制して画質の低下を防止する。発光時間調整部４０６が、例えば、図１９に示すように実デューティを調整することによって、表示装置１００が表示する画像の画質の低下を防止し、高画質化を図ることができる。
【０２３４】
〔ＩＶ〕実デューティの第４の調整例：調整信号に基づく下限値の設定
上述した実デューティの第１〜第３の調整例では、実デューティに所定の下限値Ｌ１、および／または、所定の上限値Ｌ２を設ける構成を示した。しかしながら、発光時間調整部４０６における実デューティの調整は、第１〜第３の調整例に限られず、制御部１０４から伝達される調整信号に応じて下限値の値を変更することもできる。図２０は、本発明の実施形態に係る発光時間調整部４０６における実デューティの第４の調整例を説明するための説明図である。図２０は、図１７と同様に、発光量規定部４０２から出力される基準デューティ（Ｄｕｔｙ）と、発光時間調整部４０６から出力される実デューティ（Ｄｕｔｙ’）との関係を示している。
【０２３５】
図２０を参照すると、発光量規定部４０２から出力される基準デューティ（Ｄｕｔｙ）と発光時間調整部４０６から出力される実デューティ（Ｄｕｔｙ’）とは、基本的に傾き１の比例関係にあるが、図１９に示す第３の調整例と同様に、実デューティ（Ｄｕｔｙ’）に下限値Ｌ１および上限値Ｌ２が設けられていることが分かる。
【０２３６】
また、図２０では、下限値Ｌ１よりも実デューティ（Ｄｕｔｙ’）が大きな下限値Ｌ３および下限値Ｌ４と、下限値Ｌ１よりも実デューティ（Ｄｕｔｙ’）が小さな下限値Ｌ５および下限値Ｌ６とが、下限値としてさらに設定されている。
【０２３７】
第４の調整例において、発光時間調整部４０６は、制御部１０４から伝達される調整信号に基づいて、例えば、以下の（ｉ）〜（ｖ）に示すように調整信号に応じた下限値を設定する。
【０２３８】
（ｉ）「テキスト」コンテンツ用の調整信号が伝達された場合
例えば、制御部１０４から「テキスト」コンテンツ用の調整信号が伝達された場合には、発光時間調整部４０６は、実デューティ（Ｄｕｔｙ’）に下限値Ｌ３を設定する。ここで、下限値Ｌ３は、上記所定の第１の値に相当する。発光時間調整部４０６は、発光量規定部４０２から出力される基準デューティ（Ｄｕｔｙ）がＬ３≦Ｄｕｔｙ≦Ｌ２（規定範囲内）のときには基準デューティを実デューティとして出力する。また、発光時間調整部４０６は、Ｌ３＞Ｄｕｔｙ（規定範囲外）のときには下限値Ｌ３を実デューティとして出力し、Ｄｕｔｙ＞Ｌ２（規定範囲外）のときには上限値Ｌ２を実デューティとして出力する。
【０２３９】
（ｉｉ）「フォトグラフ」コンテンツ用の調整信号が伝達された場合
例えば、制御部１０４から「テキスト」コンテンツ用の調整信号が伝達された場合には、発光時間調整部４０６は、実デューティ（Ｄｕｔｙ’）に下限値Ｌ４を設定する。ここで、下限値Ｌ４は、上記所定の第２の値に相当する。発光時間調整部４０６は、発光量規定部４０２から出力される基準デューティ（Ｄｕｔｙ）がＬ４≦Ｄｕｔｙ≦Ｌ２（規定範囲内）のときには基準デューティを実デューティとして出力する。また、発光時間調整部４０６は、Ｌ４＞Ｄｕｔｙ（規定範囲外）のときには下限値Ｌ４を実デューティとして出力し、Ｄｕｔｙ＞Ｌ２（規定範囲外）のときには上限値Ｌ２を実デューティとして出力する。
【０２４０】
（ｉｉｉ）「シネマ」コンテンツ用の調整信号が伝達された場合
例えば、制御部１０４から「シネマ」コンテンツ用の調整信号が伝達された場合には、発光時間調整部４０６は、実デューティ（Ｄｕｔｙ’）に下限値Ｌ５を設定する。ここで、下限値Ｌ５は、上記所定の第３の値に相当する。発光時間調整部４０６は、発光量規定部４０２から出力される基準デューティ（Ｄｕｔｙ）がＬ５≦Ｄｕｔｙ≦Ｌ２（規定範囲内）のときには基準デューティを実デューティとして出力する。また、発光時間調整部４０６は、Ｌ５＞Ｄｕｔｙ（規定範囲外）のときには下限値Ｌ５を実デューティとして出力し、Ｄｕｔｙ＞Ｌ２（規定範囲外）のときには上限値Ｌ２を実デューティとして出力する。
【０２４１】
（ｉｖ）「ゲーム」コンテンツ用の調整信号が伝達された場合
例えば、制御部１０４から「ゲーム」コンテンツ用の調整信号が伝達された場合には、発光時間調整部４０６は、実デューティ（Ｄｕｔｙ’）に下限値Ｌ６を設定する。ここで、下限値Ｌ６は、上記所定の第４の値に相当する。発光時間調整部４０６は、発光量規定部４０２から出力される基準デューティ（Ｄｕｔｙ）がＬ６≦Ｄｕｔｙ≦Ｌ２（規定範囲内）のときには基準デューティを実デューティとして出力する。また、発光時間調整部４０６は、Ｌ６＞Ｄｕｔｙ（規定範囲外）のときには下限値Ｌ６を実デューティとして出力し、Ｄｕｔｙ＞Ｌ２（規定範囲外）のときには上限値Ｌ２を実デューティとして出力する。
【０２４２】
（ｖ）標準の調整信号が伝達された場合
例えば、制御部１０４から図１０に示す標準の調整信号が伝達された場合には、発光時間調整部４０６は、実デューティ（Ｄｕｔｙ’）に下限値Ｌ１を設定する。ここで、下限値Ｌ１は、上記標準設定値に相当する。発光時間調整部４０６は、発光量規定部４０２から出力される基準デューティ（Ｄｕｔｙ）がＬ１≦Ｄｕｔｙ≦Ｌ２（規定範囲内）のときには基準デューティを実デューティとして出力する。また、発光時間調整部４０６は、Ｌ１＞Ｄｕｔｙ（規定範囲外）のときには下限値Ｌ１を実デューティとして出力し、Ｄｕｔｙ＞Ｌ２（規定範囲外）のときには上限値Ｌ２を実デューティとして出力する。
【０２４３】
発光時間調整部４０６は、実デューティ（Ｄｕｔｙ’）に下限値Ｌ１〜Ｌ６および上限値Ｌ２を設けることにより、輝度と動きぼけとのトレードオフの関係に起因するデメリットの発生を抑制して画質の低下を防止する。また、発光時間調整部４０６は、実デューティ（Ｄｕｔｙ’）の下限値を制御部１０４から伝達される調整信号に応じて適宜変更することにより、ＨＤＭＩシンク１０２が受信した画像信号が示す画像のコンテンツ内容に応じてデューティの調整を行うことができる。したがって、発光時間調整部４０６が、例えば、図２０に示すように実デューティを調整することによって、表示装置１００が表示する画像の画質の低下を防止し、高画質化を図ることができる。
【０２４４】
また、制御部１０４は、上述したようにコンテンツ識別情報が示すコンテンツの情報が所定の回数連続して同一の内容を示す場合に、コンテンツ識別情報が示すコンテンツの情報に応じた調整信号および制御信号を生成することができる。したがって、表示装置１００は、発光時間調整部４０６における調整信号に応じて設定される実デューティの下限値の設定頻度を抑え、例えば、１秒間に複数回実デューティの下限値が変更されることによる画質の低下を防止することができる。
【０２４５】
なお、上記では、第４の調整例として、実デューティ（Ｄｕｔｙ’）に下限値および上限値が設けられる構成（すなわち、第３の調整例に対応する構成）を示したが、本発明の実施形態に係る実デューティの調整は上記に限られない。例えば、本発明の実施形態に係る実デューティの調整は、制御部１０４から伝達される調整信号に応じて図１７に示す第１の調整例の下限値を適宜変更することもできる。
【０２４６】
また、上記では、第４の調整例として、「テキスト」コンテンツ用の調整信号、「フォトグラフ」コンテンツ用の調整信号、「シネマ」コンテンツ用の調整信号、「ゲーム」コンテンツ用の調整信号、あるいは標準の調整信号のいずれかが制御部１０４から伝達される例を示したが、本発明の実施形態に係る調整信号は上記に限られない。ここで、制御部１０４から伝達される調整信号が上記と異なる場合には、例えば、伝達される調整信号の数に応じた数の下限値が設定される。さらに、上記では、第４の調整例として、制御部１０４から伝達される調整信号に基づいて実デューティ（Ｄｕｔｙ’）の下限値を適宜変更する例を示したが、上記に限られず、調整信号に基づいて実デューティ（Ｄｕｔｙ’）の上限値を変更することができることは、言うまでもない。
【０２４７】
以上、実デューティの第１〜第４の調整例に示したように、発光時間調整部４０６は、出力する実デューティに下限値、および／または、上限値を設けて実デューティを調整することによって、表示装置１００が表示する画像の画質の低下を防止し、高画質化を図ることができる。なお、図１７〜図２０に示す実デューティの下限値Ｌ１〜Ｌ６、上限値Ｌ２は、例えば、表示装置１００が備えるパネル１０８の特性（例えば、発光素子の特性など）に合わせて予め設定することができるが、上記に限られない。例えば、実デューティの下限値Ｌ１〜Ｌ６、上限値Ｌ２は、操作部（図示せず）からのユーザ入力に応じて変更されてもよい。
【０２４８】
再度図１３を参照して発光時間制御部１５４について説明する。ゲイン調整部４０８は、第１ゲイン補正部４１０と第２ゲイン補正部４１２とを備える。ゲイン調整部４０８は、入力されるＲ、Ｇ、Ｂの画像信号のゲインを発光時間調整部４０６における実デューティの調整に対応して調整する。数式１に示すように、発光量は、信号レベルと発光時間との積で表すことができる。ゲイン調整部４０８は、基準デューティと画像信号のゲインとで規定される発光量が、実デューティの調整後も同一に保たれるように、画像信号のゲインを調整する。
【０２４９】
第１ゲイン補正部４１０は、入力されるＲ、Ｇ、Ｂの画像信号それぞれに対して、発光量規定部４０２から出力される基準デューティを乗算する。
【０２５０】
第２ゲイン補正部４１２は、第１ゲイン補正部４１０が補正したＲ、Ｇ、Ｂの画像信号それぞれから、発光時間調整部４０６から出力される実デューティ（Ｄｕｔｙ’）を除算する。
【０２５１】
第１ゲイン補正部４１０および第２ゲイン補正部４１２における補正の結果、ゲイン調整部４０８から出力される調整されたＲの画像信号（Ｒ’）、調整されたＧの画像信号（Ｇ’）、および調整されたＢの画像信号（Ｂ’）は、以下の数式２〜４のように表すことができる。
【０２５２】
R’＝｛（R）×（Duty）｝/（Duty’）
R’＝（R）×｛（Duty）/（Duty’）｝
・・・（数式２）
G’＝｛（G）×（Duty）｝/（Duty’）
G’＝（G）×｛（Duty）/（Duty’）｝
・・・（数式３）
B’＝｛（B）×（Duty）｝/（Duty’）
B’＝（B）×｛（Duty）/（Duty’）｝
・・・（数式４）
【０２５３】
数式２〜４を参照すると、ゲイン調整部４０８から出力される画像信号（Ｒ’、Ｇ’、Ｂ’）は、発光時間調整部４０６におけるデューティの調整比率（（Ｄｕｔｙ）／（Ｄｕｔｙ’））に応じたものとなることが分かる。
【０２５４】
ここで、発光時間調整部４０６におけるデューティの調整比率と、ゲイン調整部４０８における画像信号のゲインの調整との関係は、例えば、以下の（１）〜（３）のように示すことができる。
（１）デューティの調整比率＝１のとき
ゲイン調整部４０８から出力される画像信号（Ｒ’、Ｇ’、Ｂ’）＝入力される画像信号（Ｒ、Ｇ、Ｂ）  ：  画像信号のゲインに変化なし
（２）デューティの調整比率＜１のとき（実デューティが下限値Ｌ１〜Ｌ６に設定されたとき）
ゲイン調整部４０８から出力される画像信号（Ｒ’、Ｇ’、Ｂ’）＜入力される画像信号（Ｒ、Ｇ、Ｂ）  ：  画像信号のゲインが減衰
（３）デューティの調整比率＞１のとき（実デューティが上限値Ｌ２に設定されたとき）
ゲイン調整部４０８から出力される画像信号（Ｒ’、Ｇ’、Ｂ’）＞入力される画像信号（Ｒ、Ｇ、Ｂ）  ：  画像信号のゲインが増幅
【０２５５】
また、数式１と数式２〜４に示すように、調整部４０４から出力される実デューティ（Ｄｕｔｙ’）と画像信号（Ｒ’、Ｇ’、Ｂ’）とにより規定される１フレーム期間（単位時間）における発光量は、調整部４０４における調整の前後で変化しない。したがって、調整部４０４は、発光量を同一に保ったまま実デューティおよび画像信号のゲインを調整することができる。
【０２５６】
以上のように、本発明の実施形態に係る表示装置１００は、１フレーム期間（単位時間；所定期間）に入力されるＲ、Ｇ、Ｂの画像信号から平均輝度を算出し、算出した平均輝度に応じた基準デューティを設定する。本発明の実施形態に係る基準デューティは、所定のデューティにおける最も大きな発光量と、基準デューティと１フレーム期間（単位時間；所定期間）における平均輝度とにより規定される発光量とが同一となるような値が設定される。また、表示装置１００は、基準デューティと画像信号のゲインとで規定される発光量が同一に保たれるように、実デューティおよび画像信号のゲインを調整することができる。したがって、表示装置１００では、１フレーム期間（単位時間）における発光量が所定のデューティにおける最も大きな発光量より大きくなることはないので、表示装置１００は、パネル１０８が有する各画素（厳密には、各画素が有する発光素子）に過電流が流れることを防止することができる。
【０２５７】
また、表示装置１００は、実デューティに下限値Ｌ１、および／または、上限値Ｌ２を設けて実デューティを調整することによって、輝度と動きぼけとのトレードオフの関係に起因するデメリット（上述した第１、第２の調整例で示したデメリット）の発生を抑制して画質の低下を防止することができる。したがって、表示装置１００は、パネル１０８に表示する画像の高画質化を図ることができる。
【０２５８】
また、表示装置１００は、ＨＤＭＩシンク１０２が受信したコンテンツ情報に基づいて調整信号および制御信号を生成し、生成された調整信号および制御信号をＨＤＭＩシンク１０２が受信した画像信号を処理する信号処理部１０６の各部へ伝達する。コンテンツ情報に基づく調整信号が信号処理部１０６のパネルドライバ１２６に入力されることにより、表示装置１００は、実デューティ（Ｄｕｔｙ’）の下限値を調整信号に応じて適宜変更することができる。また、コンテンツ情報に基づく制御信号が信号処理部１０６のクロマデコーダ１２０、ＤＲＣ部１２２、エンハンサ１２４それぞれに伝達されることにより、表示装置１００は、入力された画像信号（ＨＤＭＩシンク１０２が受信した画像信号）が示す画像のコンテンツ内容に応じた画像信号の処理を行うことができる。したがって、表示装置１００は、入力された画像信号が示す画像のコンテンツ内容に応じてデューティの調整および画像信号の処理を行うことができるので、パネル１０８に表示される画像の画質の低下を防止し、高画質化を図ることができる。
【０２５９】
さらに、表示装置１００は、ＨＤＭＩシンク１０２が受信したコンテンツ情報に基づいて調整信号および制御信号を生成するので、従来の表示装置のように画像信号が示す画像に基づいて動画像か静止画像かを示す情報を検出する必要はない。したがって、表示装置１００は、従来の表示装置よりも誤検出や処理の遅延が生じる可能性を低くすることができるので、従来の表示装置よりも高画質化を図ることができる。
【０２６０】
［本発明の実施形態に係る表示装置１００の変形例］
〔ａ〕第１の変形例
図１３に示すように、発光時間制御部１５４は平均輝度算出部４００と発光量規定部４０２とを備え、平均輝度算出部４００において算出された平均輝度に基づいて基準デューティを設定することができる。しかしながら、本発明の実施形態に係る発光時間制御部は、上記の構成に限られない。例えば、本発明の実施形態に係る発光時間制御部は、平均輝度算出部４００を置き換える構成要素として、映像のヒストグラム値を算出するヒストグラム算出部を備え、発光量規定部が当該ヒストグラム値に基づいて基準デューティを設定してもよい。上記構成であっても、第１の変形例に係る表示装置では、１フレーム期間（単位時間）における発光量が所定のデューティにおける最も大きな発光量より大きくなることはないので、第１の変形例に係る表示装置は、パネル１０８が有する各画素（厳密には、各画素が有する発光素子）に過電流が流れることを防止することができる。また、第１の変形例に係る表示装置は、過電流防止効果に限られず、表示装置１００と同様の効果を奏することができる。
【０２６１】
〔ｂ〕第２の変形例
また、図１３に示す表示装置１００では、発光時間制御部１５４の発光時間調整部４０６に調整信号が伝達され、調整信号に応じて実デューティ（Ｄｕｔｙ’）の下限値を適宜変更する構成を示したが、本発明の実施形態に係る表示装置は、上記に限られない。例えば、本発明の実施形態に係る表示装置は、発光時間制御部１５４の発光量規定部４０２に調整信号が伝達され、調整信号に応じて図１６に示す基準デューティ（Ｄｕｔｙ）の上限値を適宜変更することもできる。基準デューティ（Ｄｕｔｙ）の上限値を調整信号に応じて変更することにより、第２の変形例に係る表示装置は、単位時間当たりの発光時間を制御して発光素子に過電流が流れることを防止し、さらに画像信号が示す画像のコンテンツの内容に応じて画質を変更することができる。
【０２６２】
〔ｃ〕第３の変形例
本発明の実施形態に係る表示装置は、表示装置１００、第１の変形例に係る表示装置、および第２の変形例に係る表示装置の構成を、任意に組み合わせることもできる。
【０２６３】
以上、本発明の実施形態に係る画像表示システムを構成する構成要素として画像再生装置２００、３００、…を挙げて説明したが、本発明の実施形態は、かかる形態に限られず、例えば、ＰＣ（Personal  Computer）などのコンピュータ、Ｂｌｕ−Ｒａｙディスク再生機（または、Ｂｌｕ−Ｒａｙレコーダ）やＤＶＤレコーダなどのディスク再生装置、プレイステーション（登録商標）シリーズなどのゲーム機などに適用することができる。
【０２６４】
また、本発明の実施形態に係る画像表示システムを構成する構成要素として表示装置１００を挙げて説明したが、本発明の実施形態は、かかる形態に限られず、例えば、テレビジョン放送を受信し映像を表示するテレビ受像機や、外部または内部に表示手段を有するＰＣなどのコンピュータなどに適用することができる。
【０２６５】
（本発明の実施形態に係るプログラム）
本発明の実施形態に係る表示装置１００をコンピュータとして機能させるためのプログラムによって、入力された画像信号のコンテンツの種類に応じて単位時間当たりに発光素子が発光する発光時間を制御し、さらに画像信号のゲインを併せて制御することにより高画質化を図ることができる。
【０２６６】
（本発明の実施形態に係る画像信号処理方法）
次に、本発明の実施形態に係る画像信号処理方法について説明する。図２１は、本発明の実施形態に係る画像信号処理方法の一例を示す流れ図であり、表示装置１００における単位時間当たりの発光時間の制御に係る方法の一例を示すものである。以下では、単位時間を１フレーム期間とし、また、入力される画像信号が１フレーム期間（単位時間）ごとの画像に対応する、Ｒ、Ｇ、Ｂ各色ごとに独立の信号であるとして説明する。
【０２６７】
まず、表示装置１００は、入力されるＲ、Ｇ、Ｂの画像信号から、所定期間における画像信号の平均輝度を算出する（Ｓ２００）。ステップＳ２００における平均輝度の算出方法としては、例えば、相加平均が挙げられるが、上記に限られない。また、上記所定期間は、例えば、１フレーム期間とすることができる。
【０２６８】
ステップＳ２００において算出された平均輝度に基づいて、表示装置１００は、基準デューティを設定する（Ｓ２０２）。ステップＳ２０２における基準デューティの設定は、例えば、平均輝度と基準デューティとが対応付けられたルックアップテーブルを用いて行うことができる。ここで、ルックアップテーブルには、例えば、所定のデューティにおける最も大きな発光量と、基準デューティと平均輝度とにより規定される発光量とが同一となるような基準デューティが保持される。また、ルックアップテーブルには、基準デューティに上限値を設けることもできる。
【０２６９】
ステップＳ２０２において設定された基準デューティに基づいて、表示装置１００は、入力されるＲ、Ｇ、Ｂの画像信号それぞれのゲインを調整する（Ｓ２０４；第１のゲイン調整）。ステップＳ２０４におけるゲインの調整は、入力されるＲ、Ｇ、Ｂの画像信号それぞれと、ステップＳ２０２において設定された基準デューティとを乗算することにより行うことができる。
【０２７０】
また、表示装置１００は、ステップＳ２０２において設定された基準デューティが規定範囲内であるか否かを判定する（Ｓ２０６）。ステップＳ２０６では、例えば、以下の（Ａ）〜（Ｅ）のいずれかの場合に規定範囲内であると判定することができる。
（Ａ）基準デューティが所定の下限値より大きい場合（第１の調整方法に対応）
（Ｂ）基準デューティが所定の上限値より小さい場合（第２の調整方法に対応）
（Ｃ）基準デューティが所定の下限値以上、所定の上限値以下である場合（第３の調整方法に対応）
（Ｄ）基準デューティが調整信号に応じて適宜変更される下限値以上、所定の上限値以下である場合（第４の調整方法に対応）
（Ｅ）基準デューティが調整信号に応じて適宜変更される下限値より大きい場合（第４の調整方法の変形例に対応）
【０２７１】
ここで、上記（Ｄ）、（Ｅ）に示す調整信号は、例えば、図１０に示す信号生成方法を用いて制御部１０４により生成される。また、制御部１０４が生成した調整信号を発光時間制御部１５４の発光時間調整部４０６に伝達することによって、発光時間調整部４０６は、調整信号に応じた下限値を適宜設定することができる。
【０２７２】
ステップＳ２０６において基準デューティが規定範囲内であると判定された場合には、表示装置１００は、ステップＳ２０２において設定された基準デューティを実デューティとして出力する（Ｓ２０８）。
【０２７３】
また、ステップＳ２０６において基準デューティが規定範囲内ではないと判定された場合には、表示装置１００は、ステップＳ２０２において設定された基準デューティを調整（実デューティの調整）して実デューティを出力する（Ｓ２１０）。ここで、ステップＳ２１０における実デューティの調整は、例えば、上記（Ａ）〜（Ｅ）それぞれの場合において、以下の（ａ）〜（ｃ）のように行うことができる。
（ａ）上記（Ａ）、（Ｅ）の場合  ：  下限値を実デューティとして出力
（ｂ）上記（Ｂ）の場合  ：  上限値を実デューティとして出力
（ｃ）上記（Ｃ）、（Ｄ）の場合  ：  下限値または上限値を実デューティとして出力
【０２７４】
ステップＳ２０８またはステップＳ２１０において出力された実デューティに基づいて、表示装置１００は、ステップＳ２０４において調整した画像信号のゲインを調整する（Ｓ２１２；第２のゲイン調整）。ここで、ステップＳ２１２における画像信号のゲインの調整は、例えば、数式２〜４に示すように、画像信号のゲインを基準デューティに対する実デューティの調整比率に応じて行うことができる。したがって、ステップＳ２１２では、画像信号のゲインを「減衰」、または、「増幅」、あるいは、「変化させない」という３種の調整を行うことができる。
【０２７５】
また、数式１および数式２〜４に示すように、ステップＳ２０８またはステップＳ２１０において出力された実デューティと、ステップＳ２１２において調整された画像信号のゲインとにより規定される発光量は、調整前の発光量と同一となる。
【０２７６】
表示装置１００は、図２１に示す画像信号処理方法を用いることにより、入力される画像信号の１フレーム期間（単位時間）における平均輝度に応じて基準デューティを出力することができる。ここで、基準デューティは、所定のデューティにおける最も大きな発光量と、基準デューティおよび１フレーム期間（単位時間；所定期間）における平均輝度により規定される発光量とが同一となるような値に設定される。
【０２７７】
また、表示装置１００は、図２１に示す画像信号処理方法を用いることにより、実デューティに下限値、および／または、上限値を設けて実デューティを調整することによって、輝度と動きぼけとのトレードオフの関係に起因するデメリット（上述した第１、第２の調整例で示したデメリット）の発生を抑制して画質の低下を防止することができる。さらに、表示装置１００は、コンテンツ識別情報に基づいて生成された調整信号に応じて実デューティの下限値を変更することができるので、入力された画像信号が示す画像のコンテンツ内容に応じた実デューティの制御を行うことができる。
【０２７８】
さらに、表示装置１００は、図２１に示す画像信号処理方法を用いることにより、基準デューティと画像信号のゲインとで規定される発光量が同一に保たれるように、実デューティおよび画像信号のゲインを調整することができる。
【０２７９】
したがって、表示装置１００は、図２１に示す画像信号処理方法を用いることにより、入力された画像信号のコンテンツの種類に応じて単位時間当たりに発光素子が発光する発光時間を制御し、さらに画像信号のゲインを併せて制御することにより高画質化を図ることができる。
【０２８０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０２８１】
例えば、図９に示す本発明の実施形態に係る表示装置１００では、表示装置１００がＨＤＭＩシンク１０２を備え、ＨＤＭＩを用いて画像信号やコンテンツ識別情報などの制御用データを受信する構成を示したが、本発明の実施形態は、かかる構成に限られない。例えば、本発明の実施形態に係る表示装置は、ＨＤＭＩの代わりに、Ｄ端子やコンポーネント端子など画像信号の受信手段と、コンテンツ識別情報などの制御用データを受信する別途の制御用データ受信手段とを備えることもできる。上記の構成であっても、本発明の実施形態に係る表示装置は、コンテンツ識別情報に基づいて調整信号を生成することが可能であるので、上述した表示装置１００と同様の効果を奏することができる。
【０２８２】
上述した構成は、本発明の実施形態の一例を示すものであり、当然に、本発明の技術的範囲に属するものである。
【図面の簡単な説明】
【０２８３】
【図１】本発明の実施形態に係る画像表示システムの構成の一例を示す説明図である。
【図２】本発明の実施形態に係る画像再生装置と表示装置との構成の概要を示すブロック図である。
【図３】本発明の実施形態に係る通信インタフェースの一例を示す説明図である。
【図４】本発明の実施形態に係るＨＤＭＩトランスミッタとＨＤＭＩレシーバの構成例を示す説明図である。
【図５】本発明の実施形態に係るＨＤＭＩの各ＴＭＤＳチャネルにおいて各種信号が伝送される伝送期間の一例を示す説明図である。
【図６】本発明の実施形態に係る制御ビットＣＴＬ０、ＣＴＬ１と、データアイランド期間およびコントロール期間との関係を示す説明図である。
【図７】本発明の実施形態に係るデータアイランド期間に配置されるＡＶＩＩｎｆｏＦｒａｍｅパケットのデータ構造の一例を示す説明図である。
【図８】本発明の実施形態に係るコンテンツ識別情報の一例を示す説明図である。
【図９】本発明の実施形態に係る表示装置の構成の一例を示す説明図である。
【図１０】本発明の実施形態に係る表示装置の制御部におけるコンテンツ識別情報に基づく信号生成方法の一例を説明するための流れ図である。
【図１１】本発明の実施形態に係る表示装置のパネルドライバの構成例を示すブロック図である。
【図１２】本発明の実施形態に係る表示装置における信号特性の遷移の概要を示す説明図である。
【図１３】本発明の実施形態に係る発光時間制御部の一例を示すブロック図である。
【図１４】本発明の実施形態に係る平均輝度算出部を示すブロック図である。
【図１５】本発明の実施形態に係る画素を構成する各色の発光素子のＶＩ比率の一例を示す説明図である。
【図１６】本発明の実施形態に係るルックアップテーブルに保持される値の導出方法を説明する説明図である。
【図１７】本発明の実施形態に係る発光時間調整部における実デューティの第１の調整例を説明するための説明図である。
【図１８】本発明の実施形態に係る発光時間調整部における実デューティの第２の調整例を説明するための説明図である。
【図１９】本発明の実施形態に係る発光時間調整部における実デューティの第３の調整例を説明するための説明図である。
【図２０】本発明の実施形態に係る発光時間調整部における実デューティの第４の調整例を説明するための説明図である。
【図２１】本発明の実施形態に係る画像信号処理方法の一例を示す流れ図である。
【符号の説明】
【０２８４】
１００    表示装置
１０２    ＨＤＭＩシンク
１０４    制御部
１０６    信号処理部
１０８    パネル
１２６    パネルドライバ
１４４    リニア変換部
１５４    発光時間制御部
１６２    ガンマ変換部
４００    平均輝度算出部
４０２    発光量規定部
４０４    調整部
４０６    発光時間調整部
４０８    ゲイン調整部
４１０    第１ゲイン補正部
４１２    第２ゲイン補正部
４５０    電流比調整部
４５２    平均値算出部
【図１】
0004433041.tif 000002
【図２】
0004433041.tif 000003
【図３】
0004433041.tif 000004
【図４】
0004433041.tif 000005
【図５】
0004433041.tif 000006
【図６】
0004433041.tif 000007
【図７】
0004433041.tif 000008
【図８】
0004433041.tif 000009
【図９】
0004433041.tif 000010
【図１０】
0004433041.tif 000011
【図１１】
0004433041.tif 000012
【図１２】
0004433041.tif 000013
【図１３】
0004433041.tif 000014
【図１４】
0004433041.tif 000015
【図１５】
0004433041.tif 000016
【図１６】
0004433041.tif 000017
【図１７】
0004433041.tif 000018
【図１８】
0004433041.tif 000019
【図１９】
0004433041.tif 000020
【図２０】
0004433041.tif 000021
【図２１】
0004433041.tif 000022